(57)【要約】  本出願は、端末と外部表示装置とに異なる内容を表示するための表示方法およびデバイスを提供し、通信技術の分野に関する。具体的な解決策は、端末により、第1の画面を表示し、第1のアプリケーションを含むが第2のアプリケーションを含まない第1のデスクトップを表示するように外部表示装置に命令するステップであって、第1の画面が第1のデスクトップとは異なる、ステップと、端末により、第1の画面上でのユーザの第1の入力に応じて、第1のアプリケーションおよび第2のアプリケーションを含む第2の画面を端末上に表示し、第1のアプリケーションおよび第2のアプリケーションを含む第2のデスクトップを表示するように外部表示装置に命令するステップと、を含む。
2020523710.tif 000002
【特許請求の範囲】
【請求項１】
端末に適用される表示方法であって、前記端末が外部表示装置に接続され、前記方法が、
前記端末により、第1の画面を表示し、前記端末により、第1のアプリケーションを含むが第2のアプリケーションを含まない第1のデスクトップを表示するように前記外部表示装置に命令するステップであって、前記第1の画面が前記第1のデスクトップとは異なる、ステップと、
前記端末により、前記第1の画面上でのユーザの第1の入力に応じて、前記第1のアプリケーションおよび前記第2のアプリケーションを含む第2の画面を前記端末上に表示し、前記第1のアプリケーションおよび前記第2のアプリケーションを含む第2のデスクトップを表示するように前記外部表示装置に命令するステップと、
を含む、方法。
【請求項２】
前記端末が前記第1の画面上での前記第1の入力を受信した後、前記端末によって表示される前記第2の画面に含まれるアプリケーションは、前記第2のデスクトップに含まれるアプリケーションと同じまたは異なる、請求項1に記載の方法。
【請求項３】
前記端末により、第1の画面を表示する前記ステップが、
前記端末により、前記第1のアプリケーションを含むが前記第2のアプリケーションを含まない前記第1の画面を表示するステップ、または
前記端末により、選択状態にある前記第1のアプリケーションおよび非選択状態にある前記第2のアプリケーションを含む前記第1の画面を表示するステップであって、前記第2の画面上の前記第1のアプリケーションおよび前記第2のアプリケーションが前記選択状態にある、ステップ
を含む、請求項1または2に記載の方法。
【請求項４】
前記端末により、第1の画面を表示する前記ステップの前に、前記方法が、
前記端末により、前記端末が外部デバイスに接続されていることを判定するステップ
をさらに含む、請求項1から3のいずれか一項に記載の方法。
【請求項５】
前記端末により、第1のアプリケーションを含むが第2のアプリケーションを含まない第1のデスクトップを表示するように前記外部表示装置に命令する前記ステップが、
前記端末により、前記第1のデスクトップを第1の表示モードで表示するように前記外部表示装置に命令するステップであって、前記第1の表示モードがプリセットデフォルト表示モードである、ステップ
を含む、請求項1から4のいずれか一項に記載の方法。
【請求項６】
前記端末により、第1のアプリケーションを含むが第2のアプリケーションを含まない第1のデスクトップを表示するように前記外部表示装置に命令する前記ステップの後に、前記方法が、
前記端末により、前記第1のデスクトップ上でのモード切り替えオプションに対する前記外部デバイスの第2の入力に応じて、前記第1のデスクトップを第2の表示モードで表示するように前記外部表示装置に命令するステップ、または
前記端末により、前記端末上での前記ユーザの第3の入力に応じて、前記第1のデスクトップを第2の表示モードで表示するように前記外部表示装置に命令するステップ
をさらに含み、
前記第1の表示モードが前記端末の表示画面に適合された表示モードであり、かつ前記第2の表示モードが前記外部表示装置に適合された表示モードである、または
前記第1の表示モードが前記外部表示装置に適合された表示モードであり、かつ前記第2の表示モードが前記端末の表示画面に適合された表示モードである、請求項5に記載の方法。
【請求項７】
前記外部デバイスが、キーボード、マウス、または手書きタブレットのうちの少なくとも1つを含む、請求項4に記載の方法。
【請求項８】
前記外部表示装置が、少なくとも、ディスプレイ、テレビセット、タブレットコンピュータ、またはプロジェクタを含む、請求項1から7のいずれか一項に記載の方法。
【請求項９】
前記方法が、
前記端末により、第1のアプリケーションウィンドウおよび第2のアプリケーションウィンドウを含むマルチウィンドウ画面を表示するように前記外部表示装置に命令するステップであって、前記第1のアプリケーションウィンドウが現在フォーカスされているアプリケーションウィンドウである、ステップと、
前記端末により、前記マルチウィンドウ画面上での前記ユーザによるカーソルを第1の位置に移動する操作に応じて、前記第1の位置が含まれるアプリケーションウィンドウが前記第2のアプリケーションウィンドウであると判定するステップと、
前記端末により、前記現在フォーカスされているアプリケーションウィンドウを前記第1のアプリケーションウィンドウから前記第2のアプリケーションウィンドウに切り替えるように前記外部表示装置に命令するステップと、
をさらに含む、請求項1から8のいずれか一項に記載の方法。
【請求項１０】
前記端末により、前記現在フォーカスされているアプリケーションウィンドウを前記第1のアプリケーションウィンドウから前記第2のアプリケーションウィンドウに切り替えるように前記外部表示装置に命令する前記ステップの後に、前記方法が、
前記端末により、前記第2のアプリケーションウィンドウで前記ユーザによってトリガされたマウス操作またはキーボード操作を受信するステップ
をさらに含む、請求項9に記載の方法。
【請求項１１】
前記方法が、
前記端末により、前記端末の表示画面に第3のアプリケーションウィンドウを表示するステップと、
前記端末により、第1のアプリケーションウィンドウおよび第2のアプリケーションウィンドウを含むマルチウィンドウ画面を表示するように前記外部表示装置に命令するステップであって、前記第1のアプリケーションウィンドウが現在フォーカスされているアプリケーションウィンドウである、ステップと、
前記端末により、前記ユーザによるカーソルを前記第3のアプリケーションウィンドウに移動する操作に応じて、前記第1の位置が前記第3のアプリケーションウィンドウ内に含まれると判定するステップと、
前記端末により、前記現在フォーカスされているアプリケーションウィンドウを前記第1のアプリケーションウィンドウから前記第3のアプリケーションウィンドウに切り替えるステップと、
をさらに含む、請求項4から8のいずれか一項に記載の方法。
【請求項１２】
前記方法が、
前記端末により、ツールバーウィンドウを表示するように前記外部表示装置に命令するステップであって、前記ツールバーウィンドウがターゲットアプリケーションのアイコンを含む、ステップと、
前記端末により、前記ターゲットアプリケーションの前記アイコン上で前記ユーザによって実行された特定の操作に応じて、前記ターゲットアプリケーションによってサポートされる少なくとも1つの表示モードを表示するように前記外部表示装置に命令するステップであって、前記少なくとも1つの表示モードが、全画面表示モード、横長表示モード、および縦長表示モードのうちの少なくとも1つを含む、ステップと、
をさらに含む、請求項1から11のいずれか一項に記載の方法。
【請求項１３】
前記端末により、前記ターゲットアプリケーションによってサポートされる少なくとも1つの表示モードを表示するように前記外部表示装置に命令する前記ステップの後に、前記方法が、
前記端末により、前記ユーザによる前記全画面表示モードをトリガする操作に応じて、前記ターゲットアプリケーションの全画面表示リソースを前記端末の表示画面にロードするように前記外部表示装置に命令するステップ、
前記端末により、前記ユーザによる前記横長表示モードをトリガする操作に応じて、前記ターゲットアプリケーションの横長表示リソースを前記端末の表示画面にロードするように前記外部表示装置に命令するステップ、または
前記端末により、前記ユーザによる前記縦長表示モードをトリガする操作に応じて、前記ターゲットアプリケーションの縦長表示リソースを前記端末の表示画面にロードするように前記外部表示装置に命令するステップ
をさらに含む、請求項12に記載の方法。
【請求項１４】
前記端末により、全画面表示リソースを前記端末の表示画面にロードするように前記外部表示装置に命令する前記ステップの後に、前記方法が、
前記端末により、少なくとも1つの実行中のアプリケーションを一時停止するように前記外部表示装置に命令するステップ
をさらに含む、請求項13に記載の方法。
【請求項１５】
前記少なくとも1つの表示モードが最小化された表示モードをさらに含み、前記方法が、
前記端末により、前記ユーザによる前記最小化された表示モードをトリガする操作に応じて、実行中の前記ターゲットアプリケーションを一時停止するように前記外部表示装置に命令するステップ
をさらに含む、請求項12に記載の方法。
【請求項１６】
端末に適用される表示方法であって、前記端末が外部表示装置に接続され、前記方法が、
前記端末により、第1のアプリケーションおよび第2のアプリケーションを含む第1の画面を表示し、前記端末により、前記第1のアプリケーションおよび前記第2のアプリケーションを含む第1のデスクトップを表示するように前記外部表示装置に命令するステップであって、前記第1の画面が前記第1のデスクトップとは異なる、ステップと、
前記端末により、前記第1の画面上でのユーザの第1の入力に応じて、前記第1のアプリケーションを含むが前記第2のアプリケーションを含まない第2のデスクトップを表示するように前記外部表示装置に命令するステップと、
を含む、方法。
【請求項１７】
前記方法が、
前記端末により、前記第1の画面上での前記ユーザの前記第1の入力に応じて、前記第1のアプリケーションを含むが前記第2のアプリケーションを含まない第2の画面を表示するステップ、または
前記端末により、前記第1の画面上での前記ユーザの前記第1の入力に応じて、選択状態にある前記第1のアプリケーションおよび非選択状態にある前記第2のアプリケーションを含む第2の画面を表示するステップであって、前記第1の画面上の前記第1のアプリケーションおよび前記第2のアプリケーションは両方とも前記選択状態にある、ステップ
をさらに含む、請求項16に記載の方法。
【請求項１８】
前記端末が前記第1の画面上で前記第1の入力を受信した後、前記端末によって表示される前記第2の画面に含まれるアプリケーションは、前記第2のデスクトップに含まれるアプリケーションと同じまたは異なる、請求項17に記載の方法。
【請求項１９】
前記端末により、第1のアプリケーションおよび第2のアプリケーションを含む第1の画面を表示する前記ステップの前に、前記方法が、
前記端末により、前記端末が外部デバイスに接続されていることを判定するステップ
をさらに含む、請求項16から18のいずれか一項に記載の方法。
【請求項２０】
前記端末により、前記第1のアプリケーションおよび前記第2のアプリケーションを含む第1のデスクトップを表示するように前記外部表示装置に命令する前記ステップが、
前記端末により、前記第1のデスクトップを第1の表示モードで表示するように前記外部表示装置に命令するステップであって、前記第1の表示モードがプリセットデフォルト表示モードである、ステップ
を含む、請求項16から19のいずれか一項に記載の方法。
【請求項２１】
前記端末により、前記第1のデスクトップを第1の表示モードで表示するように前記外部表示装置に命令する前記ステップの後に、前記方法が、
前記端末により、前記第1のデスクトップ上でのモード切り替えオプションに対する前記外部デバイスの第2の入力に応じて、前記第1のデスクトップを第2の表示モードで表示するように前記外部表示装置に命令するステップ、または
前記端末により、前記端末上での前記ユーザの第3の入力に応じて、前記第1のデスクトップを第2の表示モードで表示するように前記外部表示装置に命令するステップ
をさらに含み、
前記第1の表示モードが前記端末の表示画面に適合された表示モードであり、かつ前記第2の表示モードが前記外部表示装置に適合された表示モードである、または
前記第1の表示モードが前記外部表示装置に適合された表示モードであり、かつ前記第2の表示モードが前記端末の表示画面に適合された表示モードである、請求項20に記載の方法。
【請求項２２】
前記外部デバイスが、キーボード、マウス、または手書きタブレットのうちの少なくとも1つを含む、請求項18に記載の方法。
【請求項２３】
前記外部表示装置が、少なくとも、ディスプレイ、テレビセット、タブレットコンピュータ、またはプロジェクタを含む、請求項16から22のいずれか一項に記載の方法。
【請求項２４】
端末であって、前記端末が、
外部表示装置に接続するように構成された接続モジュールと、
第1の画面を表示するように構成された表示モジュールと、
前記表示モジュールが前記第1の画面を表示するとき、第1のアプリケーションを含むが第2のアプリケーションを含まない第1のデスクトップを表示するように前記外部表示装置に命令し、前記第1の画面が前記第1のデスクトップとは異なる、ように構成された命令モジュールと、
前記第1の画面上でのユーザの第1の入力を受信するように構成された受信モジュールと、
を備え、
前記表示モジュールが、前記受信モジュールによって受信された前記第1の入力に応じて、前記第1のアプリケーションおよび前記第2のアプリケーションを含む第2の画面を表示するようにさらに構成され、
前記命令モジュールが、前記表示モジュールが前記第2の画面を表示するとき、前記第1のアプリケーションおよび前記第2のアプリケーションを含む第2のデスクトップを表示するように前記外部表示装置に命令するようにさらに構成される、端末。
【請求項２５】
前記第1の入力に応じて前記表示モジュールによって表示される前記第2の画面に含まれるアプリケーションが、前記第2のデスクトップに含まれるアプリケーションと同じまたは異なる、請求項24に記載の端末。
【請求項２６】
前記表示モジュールが前記第1の画面を表示するように構成されることは、
前記表示モジュールが、前記第1のアプリケーションを含むが前記第2のアプリケーションを含まない前記第1の画面を表示するように、または選択状態にある前記第1のアプリケーションおよび非選択状態にある前記第2のアプリケーションを含む前記第1の画面を表示し、前記第2の画面上の前記第1のアプリケーションおよび前記第2のアプリケーションが前記選択状態にある、ように構成されること
を特に含む、請求項24または25に記載の端末。
【請求項２７】
前記端末が、
前記表示モジュールが前記第1の画面を表示する前に、前記端末が外部デバイスに接続されていることを判定するように構成された判定モジュール
をさらに備える、請求項24から26のいずれか一項に記載の端末。
【請求項２８】
前記命令モジュールが、前記第1のアプリケーションを含むが前記第2のアプリケーションを含まない前記第1のデスクトップを表示するように前記外部表示装置に命令するように構成されることは、
前記命令モジュールが、前記第1のデスクトップを第1の表示モードで表示するように前記外部表示装置に命令し、前記第1の表示モードがプリセットデフォルト表示モードである、ように構成されること
を特に含む、請求項24から27のいずれか一項に記載の端末。
【請求項２９】
前記受信モジュールは、前記命令モジュールが前記第1のアプリケーションを含むが前記第2のアプリケーションを含まない前記第1のデスクトップを表示するように前記外部表示装置に命令した後、前記第1のデスクトップ上でのモード切り替えオプションに対する前記外部デバイスの第2の入力を受信するようにさらに構成され、かつ
前記命令モジュールは、前記受信モジュールによって受信された前記第2の入力に応じて、前記第1のデスクトップを第2の表示モードで表示するように前記外部表示装置に命令するようにさらに構成される、または
前記受信モジュールは、前記命令モジュールが前記第1のアプリケーションを含むが前記第2のアプリケーションを含まない前記第1のデスクトップを表示するように前記外部表示装置に命令した後、前記端末上での前記ユーザの第3の入力を受信するようにさらに構成され、かつ
前記命令モジュールは、前記第3の入力に応じて、前記第1のデスクトップを第2の表示モードで表示するように前記外部表示装置に命令するようにさらに構成され、
前記第1の表示モードが前記端末の表示画面に適合された表示モードであり、かつ前記第2の表示モードが前記外部表示装置に適合された表示モードである、または
前記第1の表示モードが前記外部表示装置に適合された表示モードであり、かつ前記第2の表示モードが前記端末の表示画面に適合された表示モードである、請求項28に記載の端末。
【請求項３０】
前記外部デバイスが、キーボード、マウス、または手書きタブレットのうちの少なくとも1つを含む、請求項27に記載の端末。
【請求項３１】
前記外部表示装置が、少なくとも、ディスプレイ、テレビセット、タブレットコンピュータ、またはプロジェクタを含む、請求項24から30のいずれか一項に記載の端末。
【請求項３２】
前記命令モジュールは、第1のアプリケーションウィンドウおよび第2のアプリケーションウィンドウを含むマルチウィンドウ画面を表示するように前記外部表示装置に命令し、前記第1のアプリケーションウィンドウが現在フォーカスされているアプリケーションウィンドウである、ようにさらに構成され、
前記受信モジュールは、前記マルチウィンドウ画面上での前記ユーザによるカーソルを第1の位置に移動する操作を受信するようにさらに構成され、
前記命令モジュールは、前記現在フォーカスされているアプリケーションウィンドウを前記第1のアプリケーションウィンドウから前記第2のアプリケーションウィンドウに切り替えるように前記外部表示装置に命令するようにさらに構成される、請求項24から31のいずれか一項に記載の端末。
【請求項３３】
前記受信モジュールは、前記第2のアプリケーションウィンドウで前記ユーザによってトリガされたマウス操作またはキーボード操作を受信するようにさらに構成される、請求項32に記載の端末。
【請求項３４】
前記表示モジュールは、前記端末の表示画面に第3のアプリケーションウィンドウを表示するようにさらに構成され、
前記命令モジュールは、第1のアプリケーションウィンドウおよび第2のアプリケーションウィンドウを含むマルチウィンドウ画面を表示するように前記外部表示装置に命令し、前記第1のアプリケーションウィンドウが現在フォーカスされているアプリケーションウィンドウである、ようにさらに構成され、
前記受信モジュールは、前記ユーザによるカーソルを前記第3のアプリケーションウィンドウに移動する操作を受信するようにさらに構成され、
前記判定モジュールは、前記第1の位置が前記第3のアプリケーションウィンドウ内に含まれることを判定するようにさらに構成され、
前記表示モジュールは、前記現在フォーカスされているアプリケーションウィンドウを前記第1のアプリケーションウィンドウから前記第3のアプリケーションウィンドウに切り替えるようにさらに構成される、請求項27から31のいずれか一項に記載の端末。
【請求項３５】
前記命令モジュールは、ツールバーウィンドウを表示するように前記外部表示装置に命令し、前記ツールバーウィンドウがターゲットアプリケーションのアイコンを含む、ようにさらに構成され、
前記受信モジュールは、前記ターゲットアプリケーションの前記アイコン上で前記ユーザによって実行された特定の操作を受信するようにさらに構成され、
前記命令モジュールは、前記ターゲットアプリケーションによってサポートされる少なくとも1つの表示モードを表示するように前記外部表示装置に命令し、前記少なくとも1つの表示モードが、全画面表示モード、横長表示モード、および縦長表示モードのうちの少なくとも1つを含む、ようにさらに構成される、請求項24から34のいずれか一項に記載の端末。
【請求項３６】
前記命令モジュールは、前記ユーザによる前記全画面表示モードをトリガする操作に応じて、前記ターゲットアプリケーションの全画面表示リソースを前記端末の表示画面にロードするように前記外部表示装置に命令するようにさらに構成される、
前記命令モジュールは、前記ユーザによる前記横長表示モードをトリガする操作に応じて、前記ターゲットアプリケーションの横長表示リソースを前記端末の表示画面にロードするように前記外部表示装置に命令するようにさらに構成される、または
前記命令モジュールは、前記ユーザによる前記縦長表示モードをトリガする操作に応じて、前記ターゲットアプリケーションの縦長表示リソースを前記端末の表示画面にロードするように前記外部表示装置に命令するようにさらに構成される、請求項35に記載の端末。
【請求項３７】
前記命令モジュールは、少なくとも1つの実行中のアプリケーションを一時停止するように前記外部表示装置に命令するようにさらに構成される、請求項36に記載の端末。
【請求項３８】
前記命令モジュールは、前記ユーザによる最小化された表示モードをトリガする操作に応じて、実行中の前記ターゲットアプリケーションを一時停止するように前記外部表示装置に命令するようにさらに構成される、請求項35に記載の端末。
【請求項３９】
端末であって、前記端末が、
外部表示装置に接続するように構成された接続モジュールと、
第1のアプリケーションおよび第2のアプリケーションを含む第1の画面を表示するように構成された表示モジュールと、
前記表示モジュールが前記第1の画面を表示するとき、前記第1のアプリケーションおよび前記第2のアプリケーションを含む第1のデスクトップを表示するように前記外部表示装置に命令し、前記第1の画面が前記第1のデスクトップとは異なる、ように構成された命令モジュールと、
前記第1の画面上でのユーザの第1の入力を受信するように構成された受信モジュールと、
を備え、
前記命令モジュールが、前記受信モジュールによって受信された前記第1の入力に応じて、前記第1のアプリケーションを含むが前記第2のアプリケーションを含まない第2のデスクトップを表示するように前記外部表示装置に命令するようにさらに構成される、端末。
【請求項４０】
前記表示モジュールは、前記第1の入力に応じて、前記第1のアプリケーションを含むが前記第2のアプリケーションを含まない第2の画面を表示するように、または選択状態にある前記第1のアプリケーションおよび非選択状態にある前記第2のアプリケーションを含む第2の画面を表示し、前記第1の画面上の前記第1のアプリケーションおよび前記第2のアプリケーションの両方が前記選択状態にある、ようにさらに構成される、請求項39に記載の端末。
【請求項４１】
前記第1の入力に応じて前記表示モジュールによって表示される前記第2の画面に含まれるアプリケーションが、前記第2のデスクトップに含まれるアプリケーションと同じまたは異なる、請求項40に記載の端末。
【請求項４２】
前記端末が、
前記表示モジュールが前記第1の画面を表示する前に、前記端末が外部デバイスに接続されていることを判定するように構成された判定モジュール
をさらに備える、請求項39から41のいずれか一項に記載の端末。
【請求項４３】
前記命令モジュールが、前記第1のアプリケーションおよび前記第2のアプリケーションを含む前記第1のデスクトップを表示するように前記外部表示装置に命令するように構成されることは、
前記命令モジュールが、前記第1のデスクトップを第1の表示モードで表示するように前記外部表示装置に命令し、前記第1の表示モードがプリセットデフォルト表示モードである、ように構成されること
を含む、請求項39から42のいずれか一項に記載の端末。
【請求項４４】
前記受信モジュールは、前記命令モジュールが前記第1のデスクトップを前記第1の表示モードで表示するように前記外部表示装置に命令した後、前記第1のデスクトップ上でのモード切り替えオプションに対する前記外部デバイスの第2の入力を受信するようにさらに構成され、かつ
前記命令モジュールは、前記第2の入力に応じて、前記第1のデスクトップを第2の表示モードで表示するように前記外部表示装置に命令するようにさらに構成される、または
前記受信モジュールは、前記命令モジュールが前記第1のデスクトップを前記第1の表示モードで表示するように前記外部表示装置に命令した後、前記端末上での前記ユーザの第3の入力を受信するようにさらに構成され、かつ
前記命令モジュールは、前記第3の入力に応じて、前記第1のデスクトップを第2の表示モードで表示するように前記外部表示装置に命令するようにさらに構成され、
前記第1の表示モードが前記端末の表示画面に適合された表示モードであり、かつ前記第2の表示モードが前記外部表示装置に適合された表示モードである、または
前記第1の表示モードが前記外部表示装置に適合された表示モードであり、かつ前記第2の表示モードが前記端末の表示画面に適合された表示モードである、請求項43に記載の端末。
【請求項４５】
前記外部デバイスが、キーボード、マウス、または手書きタブレットのうちの少なくとも1つを含む、請求項42に記載の端末。
【請求項４６】
前記外部表示装置が、少なくとも、ディスプレイ、テレビセット、タブレットコンピュータ、またはプロジェクタを含む、請求項39から45のいずれか一項に記載の端末。
【請求項４７】
端末であって、前記端末が、1つまたは複数のプロセッサ、メモリ、通信インターフェース、および前記端末の表示画面を備え、
前記メモリ、前記端末の前記表示画面、および前記通信インターフェースが前記1つまたは複数のプロセッサに接続され、前記通信インターフェースが外部表示装置に接続するように構成され、前記端末の前記表示画面がユーザのタッチ入力を受信するように構成され、
前記メモリがコンピュータプログラムコードを格納するように構成され、前記コンピュータプログラムコードがコンピュータ命令を含み、前記1つまたは複数のプロセッサが前記コンピュータ命令を実行すると、前記端末が、対応する内容を前記端末の前記表示画面に表示するように、または対応する内容を表示するように前記外部表示装置に命令するように、請求項1から15または請求項16から23のいずれか一項に記載の方法を実行する、端末。
【請求項４８】
コンピュータ命令を含むコンピュータ記憶媒体であって、前記コンピュータ命令が端末上で実行されると、前記端末が請求項1から15または請求項16から23のいずれか一項に記載の方法を実行する、コンピュータ記憶媒体。
【請求項４９】
コンピュータプログラムであって、前記コンピュータプログラムがコンピュータ上で実行されると、前記コンピュータが請求項1から15または請求項16から23のいずれか一項に記載の方法を実行する、コンピュータプログラム。
【発明の詳細な説明】
【技術分野】
【０００１】
本出願は、2017年6月16日に中国専利局に出願された「DISPLAY METHOD AND DEVICE」と題する国際出願PCT/CN2017/088839号の優先権を主張するものであり、同国際出願の内容全体を参照により本願明細書に援用する。
【０００２】
本出願は、通信技術の分野に関し、詳細には、表示方法およびデバイスに関する。
【背景技術】
【０００３】
電子技術の発展に伴い、インテリジェント端末（携帯電話など）の機能が増加し、ユーザは携帯電話にますます頼っている。例えば、携帯電話は、コミュニケーションまたはエンターテイメントツールとして使用され得るだけでなく、モバイルオフィスツールとしても使用され得る。例えば、ユーザは、仕事用の電子メールを送受信し、仕事用のファイルを処理するために携帯電話を使用することができる。しかしながら、携帯電話の画面の制限により、モバイルオフィスはパーソナルコンピュータ（Personal Computer、PC）オフィスよりもはるかに不便である。
【０００４】
リモートオフィス用の携帯電話リソースの使用を容易にするために、携帯電話が外部表示装置に接続され、その結果、携帯電話は外部表示装置に表示内容を投射し得る。ユーザは、外部表示装置に表示される内容を制御するために、携帯電話を大画面ディスプレイのタッチパッドとして使用できる。あるいは、ユーザは、外部表示装置に表示される内容を制御するために、外部表示装置に接続されるキーボードおよび／またはマウスを使用することができる。
【０００５】
しかしながら、携帯電話が表示内容を外部表示装置に投射するプロセスでは、携帯電話は、制御エンド（制御パネルなど）または表示内容の供給源としてのみ使用でき、携帯電話と外部表示装置とは異なる内容を表示できない。
【発明の概要】
【課題を解決するための手段】
【０００６】
本出願は、端末と外部表示装置とに異なる内容を表示し、外部表示装置のデスクトップにアプリケーションを表示する許可を端末で制御するための表示方法およびデバイスを提供する。
【０００７】
上述の目的を達成するために、本出願は次の技術的解決策を用いる。
【０００８】
第1の態様によれば、本出願は表示方法を提供する。本方法は端末に適用されてもよく、端末は外部表示装置に接続される。表示方法は、端末により、第1の画面を表示し、第1のアプリケーションを含むが第2のアプリケーションを含まない第1のデスクトップを表示するように外部表示装置に命令するステップであって、第1の画面が第1のデスクトップとは異なる、ステップと、端末により、第1の画面上でのユーザの第1の入力に応じて、第1のアプリケーションおよび第2のアプリケーションを含む第2の画面を端末上に表示し、第1のアプリケーションおよび第2のアプリケーションを含む第2のデスクトップを表示するように外部表示装置に命令するステップと、を含む。
【０００９】
本出願で提供される表示方法によれば、端末は、第1の画面上でのユーザの第1の入力に応じて、第1のアプリケーションおよび第2のアプリケーションを含む第2の画面を端末に表示し、外部表示装置の表示された画面を「第1のアプリケーションを含むが第2のアプリケーションを含まない第1のデスクトップ」から「第1のアプリケーションおよび第2のアプリケーションを含む第2のデスクトップ」に切り替えるように命令し得る。換言すれば、本出願では、端末は、外部表示装置によって表示されるデスクトップ（第1のデスクトップ）の内容に関連する表示された画面（第1の画面）を表示でき、端末は、関連する表示された画面（第1の画面）上での入力に応じて、外部表示装置のデスクトップに表示される内容を対応して切り替えることができる。例えば、端末内のアプリケーションが外部表示装置のデスクトップに追加され、その結果、追加されたアプリケーションもまた外部表示装置を使用することにより使用され得る。
【００１０】
第1の態様に関連して、第1の可能な実装形態では、端末が第1の画面上で第1の入力を受信した後、端末によって表示される第2の画面に含まれるアプリケーションは、第2のデスクトップに含まれるアプリケーションと同じまたは異なる。
【００１１】
第1の態様または第1の可能な実装形態に関連して、「端末により、第1の画面を表示するステップ」は、端末により、第1のアプリケーションを含むが第2のアプリケーションを含まない第1の画面を表示するステップ、または端末により、選択状態にある第1のアプリケーションおよび非選択状態にある第2のアプリケーションを含む第1の画面を表示するステップであって、第2の画面上の第1のアプリケーションおよび第2のアプリケーションが選択状態にある、ステップを含む。換言すれば、端末は、第1の画面に第2のアプリケーションを表示しないこともできるし、第1の画面に非選択状態にある第2のアプリケーションを表示することもできる。
【００１２】
第1の態様または上述の可能な実装形態のいずれか1つに関連して、第3の可能な実装形態では、「端末により、第1の画面を表示するステップ」の前に、本出願の方法は、端末により、端末が外部デバイスに接続されていることを判定するステップをさらに含み得る。換言すれば、端末は、端末が外部デバイスに接続されていると判定した後に、第1の態様または第1の態様の上述の可能な実装形態のいずれか1つによる方法を実行できる。
【００１３】
第1の態様の第3の可能な実装形態に関連して、第4の可能な実装形態では、外部デバイスは、キーボード、マウス、または手書きタブレットのうちの少なくとも1つを含み得る。
【００１４】
第1の態様または上述の可能な実装形態のいずれか1つに関連して、第5の可能な実装形態では、「端末により、第1のアプリケーションを含むが第2のアプリケーションを含まない第1のデスクトップを表示するように外部表示装置に命令するステップ」は、端末により、第1のデスクトップを第1の表示モードで表示するように外部表示装置に命令するステップであって、第1の表示モードがプリセットデフォルト表示モードである、ステップを含み得る。換言すれば、端末は、プリセットデフォルト表示モード（第1の表示モード）で第1のデスクトップを表示し得る。第1の表示モードは、端末の表示画面に適合された表示モードである、または外部表示装置に適合された表示モードである。
【００１５】
第1の態様の第5の可能な実装形態に関連して、第6の可能な実装形態では、「端末により、第1のアプリケーションを含むが第2のアプリケーションを含まない第1のデスクトップを表示するように外部表示装置に命令するステップ」の後に、本出願の方法は、端末により、第1のデスクトップ上でのモード切り替えオプションに対する外部デバイスの第2の入力に応じて、第1のデスクトップを第2の表示モードで表示するように外部表示装置に命令するステップ、または端末により、端末上でのユーザの第3の入力に応じて、第1のデスクトップを第2の表示モードで表示するように外部表示装置に命令するステップをさらに含み得る。換言すれば、本出願では、端末は、外部表示装置の表示モードを切り替えるために、外部表示装置の表示デスクトップ上でのモード切り替えオプションに対する外部デバイスの入力を受信することができ、端末はまた、端末上での第3の入力に応じて外部表示装置の表示モードを切り替えることもできる。
【００１６】
本出願では、第1の表示モードが端末の表示画面に適合された表示モードである場合、第2の表示モードは外部表示装置に適合された表示モードである、または第1の表示モードが外部表示装置に適合された表示モードである場合、第2の表示モードは端末の表示画面に適合された表示モードである。
【００１７】
第1の態様または上述の可能な実装形態のいずれか1つに関連して、第7の可能な実装形態では、外部表示装置は、少なくとも、ディスプレイ、テレビセット、タブレットコンピュータ、またはプロジェクタを含み得る。
【００１８】
第1の態様または上述の可能な実装形態のいずれか1つに関連して、第8の可能な実装形態では、本方法は、端末により、第1のアプリケーションウィンドウおよび第2のアプリケーションウィンドウを含むマルチウィンドウ画面を表示するように外部表示装置に命令するステップであって、第1のアプリケーションウィンドウが現在フォーカスされているアプリケーションウィンドウである、ステップと、端末により、マルチウィンドウ画面上でのユーザによるカーソルを第1の位置に移動する操作に応じて、第1の位置が含まれるアプリケーションウィンドウが第2のアプリケーションウィンドウであると判定するステップと、端末により、現在フォーカスされているアプリケーションウィンドウを第1のアプリケーションウィンドウから第2のアプリケーションウィンドウに切り替えるように外部表示装置に命令するステップと、をさらに含む。換言すれば、マルチアプリケーションウィンドウアプリケーションシナリオでは、端末は、フォーカスされたアプリケーションウィンドウを切り替えるように外部表示装置を制御するために使用され得る。
【００１９】
第1の態様の第8の可能な実装形態に関連して、第9の可能な実装形態では、端末により、現在フォーカスされているアプリケーションウィンドウを第1のアプリケーションウィンドウから第2のアプリケーションウィンドウに切り替えるように外部表示装置に命令するステップの後に、本方法は、端末により、第2のアプリケーションウィンドウでユーザによってトリガされたマウス操作またはキーボード操作を受信するステップをさらに含む。
【００２０】
第1の態様の第3から第7の可能な実装形態のいずれか1つに関連して、第10の可能な実装形態では、本方法は、端末により、端末の表示画面上に第3のアプリケーションウィンドウを表示するステップと、端末により、第1のアプリケーションウィンドウおよび第2のアプリケーションウィンドウを含むマルチウィンドウ画面を表示するように外部表示装置に命令するステップであって、第1のアプリケーションウィンドウが現在フォーカスされているアプリケーションウィンドウである、ステップと、端末により、ユーザによるカーソルを第3のアプリケーションウィンドウに移動する操作に応じて、第1の位置が第3のアプリケーションウィンドウ内に含まれると判定するステップと、端末により、現在フォーカスされているアプリケーションウィンドウを第1のアプリケーションウィンドウから第3のアプリケーションウィンドウに切り替えるステップと、をさらに含む。
【００２１】
第1の態様または上述の可能な実装形態のいずれか1つに関連して、第11の可能な実装形態では、本方法は、端末により、ツールバーウィンドウを表示するように外部表示装置に命令するステップであって、ツールバーウィンドウがターゲットアプリケーションのアイコンを含む、ステップと、端末により、ターゲットアプリケーションのアイコン上でユーザによって実行された特定の操作に応じて、ターゲットアプリケーションによってサポートされる少なくとも1つの表示モードを表示するように外部表示装置に命令するステップであって、少なくとも1つの表示モードが、全画面表示モード、横長表示モード、および縦長表示モードのうちの少なくとも1つを含む、ステップと、をさらに含む。
【００２２】
第1の態様の第11の可能な実装形態に関連して、第12の可能な実装形態では、端末により、ターゲットアプリケーションによってサポートされる少なくとも1つの表示モードを表示するように外部表示装置に命令するステップの後に、本方法は、端末により、ユーザによる全画面表示モードをトリガする操作に応じて、ターゲットアプリケーションの全画面表示リソースを表示画面にロードするように外部表示装置に命令するステップ、端末により、ユーザによる横長表示モードをトリガする操作に応じて、ターゲットアプリケーションの横長表示リソースを表示画面にロードするように外部表示装置に命令するステップ、または端末により、ユーザによる縦長表示モードをトリガする操作に応じて、ターゲットアプリケーションの縦長表示リソースを表示画面にロードするように外部表示装置に命令するステップをさらに含む。
【００２３】
第1の態様の第12の可能な実装形態に関連して、第13の可能な実装形態では、端末により、全画面表示リソースを表示画面にロードするように外部表示装置に命令するステップの後に、本方法は、端末により、少なくとも1つの実行中のアプリケーションを一時停止するように外部表示装置に命令するステップをさらに含む。
【００２４】
第11の可能な実装形態に関連して、第14の可能な実装形態では、少なくとも1つの表示モードが最小化された表示モードをさらに含み、本方法は、端末により、ユーザによる最小化された表示モードをトリガする操作に応じて、実行中のターゲットアプリケーションを一時停止するように外部表示装置に命令するステップをさらに含む。
【００２５】
第2の態様によれば、本出願は表示方法を提供する。本方法は端末に適用されてよく、端末は外部表示装置に接続され、表示方法は、端末により、第1のアプリケーションおよび第2のアプリケーションを含む第1の画面を表示し、端末により、第1のアプリケーションおよび第2のアプリケーションを含む第1のデスクトップを表示するように外部表示装置に命令するステップであって、第1の画面が第1のデスクトップとは異なる、ステップと、端末により、第1の画面上でのユーザの第1の入力に応じて、第1のアプリケーションを含むが第2のアプリケーションを含まない第2のデスクトップを表示するように外部表示装置に命令するステップと、を含む。
【００２６】
本出願で提供される表示方法によれば、第1の画面上でのユーザの第1の入力に応じて、端末は外部表示装置の表示された画面を「第1のアプリケーションおよび第2のアプリケーションを含む第1のデスクトップ」から「第1のアプリケーションを含むが第2のアプリケーションを含まない第2のデスクトップ」に切り替えるように命令し得る。換言すれば、本出願では、端末は、外部表示装置によって表示されるデスクトップ（第1のデスクトップ）の内容に関連する表示された画面（第1の画面）を表示でき、端末は、関連する表示された画面（第1の画面）上での入力に応じて、外部表示装置のデスクトップに表示される内容を対応して切り替えることができる。例えば、外部表示装置が端末内のデータを使用する許可を制御するために、外部表示装置のデスクトップ上のアプリケーションが削除される。
【００２７】
第2の態様に関連して、第1の可能な実装形態では、本出願の方法は、端末により、第1の画面上でのユーザの第1の入力に応じて、第1のアプリケーションを含むが第2のアプリケーションを含まない第2の画面を表示するステップ、または端末により、第1の画面上でのユーザの第1の入力に応じて、選択状態にある第1のアプリケーションおよび非選択状態にある第2のアプリケーションを含む第2の画面を表示するステップであって、第1の画面上の第1のアプリケーションおよび第2のアプリケーションは両方とも選択状態にある、ステップをさらに含み得る。換言すれば、端末は、第2の画面に第2のアプリケーションを表示しないこともできるし、第2の画面に非選択状態にある第2のアプリケーションを表示することもできる。
【００２８】
第1の可能な実装形態に関連して、第2の可能な実装形態では、端末が第1の画面上で第1の入力を受信した後、端末によって表示される第2の画面に含まれるアプリケーションは、第2のデスクトップに含まれるアプリケーションと同じまたは異なる。
【００２９】
第2の態様または上述の可能な実装形態のいずれか1つに関連して、第3の可能な実装形態では、「端末により、第1のアプリケーションおよび第2のアプリケーションを含む第1の画面を表示するステップ」の前に、本出願の方法は、端末により、端末が外部デバイスに接続されていることを判定するステップをさらに含み得る。
【００３０】
本出願の第2の態様で提供される表示方法では、端末はまた、第1のデスクトップを第1の表示モード（プリセットデフォルト表示モード）で表示するように外部表示装置に命令することもできることに留意されたい。これに対応して、端末はまた、外部デバイスの入力または端末の入力に応じて、外部表示装置の表示モードを切り替える、すなわち第1のデスクトップを第2の表示モードで表示するように外部表示装置に命令することもできる。端末により、「デスクトップを第1の表示モードで表示する」または「デスクトップ表示モードを切り替える」ように外部表示装置に命令する方法については、本出願の第1の態様の第5の可能な実装形態および第6の可能な実装形態の詳細な説明を参照されたい。詳細はここでは繰り返さない。
【００３１】
第3の態様によれば、本出願は表示方法を提供する。本方法は端末に適用されてもよく、端末は外部表示装置に接続され、端末は外部デバイスに接続される。表示方法は、端末により、第1の画面を表示するステップであって、少なくとも第1のアプリケーションおよび第2のアプリケーションが第1の画面に表示される、ステップと、端末により、外部デバイスの第1の入力に応じて、第2の画面を表示するように外部表示装置に命令ステップと、端末により、第1のアプリケーションに対する第2の入力に応じて、第1のアプリケーションに対応する第3の画面を表示するステップであって、端末が外部表示装置および外部デバイスに接続されたままである、ステップと、を含む。
【００３２】
本出願で提供される表示方法によれば、端末が外部表示装置に接続され、端末が外部デバイスに接続される場合、端末は、外部デバイスの第1の入力に応じて、第2の画面を表示するように外部表示装置に命令し、端末によって表示された第1の画面上での第1のアプリケーションに対する第2の入力に応じて、第1のアプリケーションに対応する第3の画面を表示し得る。換言すれば、外部デバイスは第2の画面を表示するように外部表示装置を制御し、端末は、外部表示装置から独立しており、端末の表示画面上での入力に応じて第3の画面を表示し得る。換言すれば、端末と外部表示装置とは互いに独立しており、異なる内容を表示し得る。
【００３３】
第3の態様に関連して、第1の可能な実装形態では、第1の画面または第3の画面は、タッチドロップダウン通知バーまたはタッチ一時停止ボタンを備える。本実装形態では、端末が外部デバイスに接続されている場合でも、ユーザは、外部表示装置のタッチパッドとして機能するように端末を制御するために、タッチドロップダウン通知バーまたはタッチ一時停止ボタンを使用することができる。具体的には、表示方法は、端末により、第1の画面または第3の画面上での第3の入力に応じて、タッチパッド画面を端末上に表示するステップと、端末により、タッチパッド画面上での第4の入力に応じて、第4の画面を表示するように外部表示装置に命令するステップと、をさらに含む。換言すれば、本実装形態では、外部表示装置によって表示される内容は、外部デバイス（つまり、マウスおよび／またはキーボード）によって制御されてもよいし、タッチパッドとしての端末の表示画面によって制御されてもよい。
【００３４】
第3の態様または第1の可能な実装形態に関連して、第2の可能な実装形態では、端末が外部デバイスに接続されていない場合、端末は、外部表示装置によって表示される内容を制御するために、外部表示装置のタッチパッドとして使用され得る。具体的には、本出願の方法は、端末が外部デバイスに接続されていない場合、端末により、端末の表示画面にタッチパッド画面を表示するステップと、タッチパッド画面上での第4の入力に応じて、第4の画面を表示するように外部表示装置に命令するステップと、をさらに含み得る。端末が外部デバイスに接続されていない場合、端末の表示画面が外部表示装置のタッチパッドとして使用される。
【００３５】
第3の態様または上述の可能な実装形態のいずれか1つに関連して、第3の可能な実装形態では、端末がアダプタケーブルもしくはDockデバイスを使用することにより外部表示装置に接続される、または端末がワイヤレス接続方式で外部表示装置に接続される。
【００３６】
第4の態様によれば、本出願は表示方法を提供する。本方法は、外部表示装置に接続された端末に適用されてもよく、表示方法は、端末により、外部表示装置に第1の画面を表示するステップと、端末により、動作可能な機能項目を端末上に表示するステップであって、動作可能な機能項目が第1の画面の表示内容に関連し、動作可能な機能項目が第1の画面の表示内容を制御するために使用される、ステップと、を含む。
【００３７】
本出願で提供される表示方法によれば、端末および外部表示装置が互いに独立しており、異なる内容を表示することができ、端末の表示画面もまた外部表示装置によって表示される内容に関連する動作可能な機能項目を表示することができ、その結果、ユーザが、動作可能な機能項目を使用することにより、外部表示装置によって現在表示されている内容を制御することができる。
【００３８】
端末と外部表示装置とが異なる内容を表示し、端末の表示画面が外部表示装置のタッチパッドとして使用されない場合でも、端末の表示画面は、「外部表示装置によって表示される内容に関連する動作可能な機能項目を表示する」方式で、外部表示装置の表示内容を制御するためのインターフェース（すなわち、動作可能な機能項目）をユーザに提供でき、その結果、ユーザが、動作可能な機能項目を使用することにより、外部表示装置によって現在表示されている内容を制御することができる。
【００３９】
第4の態様に関連して、第1の可能な実装形態では、本出願の方法は、端末により、端末の表示画面上に第2の画面を表示するステップであって、第2の画面が、機能項目ドロップダウン通知バーまたは機能項目一時停止ウィンドウと、端末の表示画面上での第1の入力に応じて端末によって表示された第1の表示内容とを含む、ステップをさらに含む。「端末により、動作可能な機能項目を端末に表示するステップ」は、端末により、端末の表示画面上での機能項目ドロップダウン通知バーまたは機能項目一時停止ウィンドウに対する第2の入力に応じて、動作可能な機能項目を端末の表示画面上に表示するステップを含む。
【００４０】
端末は、端末の表示画面上のドロップダウン通知バー（すなわち、機能項目通知バー）上で、外部表示装置によって表示される内容に関連する動作可能な機能項目を表示し得る。これにより、動作可能な機能項目が端末の表示画面に表示される第2の画面を覆うことを防ぐことができる。加えて、端末は、ユーザにより実行される機能項目通知バーに対するトリガ操作を受信することができ、外部表示装置によって表示される内容に関連する動作可能な機能項目を表示することができ、その結果、ユーザが、動作可能な機能項目を使用することにより、外部表示装置によって現在表示されている内容を制御することができる。
【００４１】
第4の態様または第1の可能な実装形態に関連して、第2の可能な実装形態では、「端末により、動作可能な機能項目を端末に表示するステップ」の前に、本出願の方法は、端末により、端末が外部デバイスに接続されていることを判定するステップをさらに含み得る。換言すれば、端末は、外部表示装置が外部デバイスに接続されていると判定した後に、第4の態様または第4の態様の第1の可能な実装形態による方法を実行できる。
【００４２】
第4の態様または第1の可能な実装形態に関連して、第3の可能な実装形態では、「端末により、動作可能な機能項目を端末に表示するステップ」の前に、本出願の方法は、端末により、外部表示装置が外部デバイスに接続されていないことを判定するステップをさらに含み得る。換言すれば、端末は、外部表示装置が外部デバイスに接続されていないと判定した後に、第4の態様または第4の態様の第1の可能な実装形態による方法を実行できる。
【００４３】
第3の可能な実装形態に関連して、第4の可能な実装形態では、「端末により、外部表示装置に第1の画面を表示するステップ」は、端末により、外部表示装置に第1の画面を第1の表示モードで表示するステップであって、第1の表示モードがプリセットデフォルト表示モードである、ステップを含み得る。それに対応して、「端末により、外部表示装置に第1の画面を表示するステップ」の後に、本出願の方法は、端末により、第1の画面上での第1の画面上でのモード切り替えオプションに対する外部デバイスの第3の入力に応じて、外部表示装置に第1の画面を第2の表示モードで表示するステップ、または端末により、端末上でのユーザの第4の入力に応じて、外部表示装置に第1の画面を第2の表示モードで表示するステップをさらに含み得る。第1の表示モードが端末の表示画面に適合された表示モードであり、かつ第2の表示モードは外部表示装置に適合された表示モードである、または第1の表示モードが外部表示装置に適合された表示モードであり、かつ第2の表示モードは端末の表示画面に適合された表示モードである。
【００４４】
第4の態様または上述の可能な実装形態のいずれか1つに関連して、第5の可能な実装形態では、端末が外部表示装置に接続され、外部表示装置に表示内容を投射するときに、ユーザが端末または外部表示装置の制御／操作方式を理解するのを助けるために、端末は、端末が外部表示装置に接続されたときに投射ヘルプ画面を表示し得る。具体的には、本出願の方法は、端末により、端末が外部表示装置に接続されたときに投射ヘルプ画面を表示するステップであって、投射ヘルプ画面が投射ヘルプ情報を含み、投射ヘルプ情報は端末が関連内容を外部表示装置に表示する制御方式を指示するために使用される、ステップをさらに含み得る。
【００４５】
第4の態様または上述の可能な実装形態のいずれか1つに関連して、第6の可能な実装形態では、端末がアダプタケーブルもしくはDockデバイスを使用することにより外部表示装置に接続される、または端末がワイヤレス接続方式で外部表示装置に接続される。
【００４６】
第5の態様によれば、本出願は端末を提供する。端末は、接続モジュールと、表示モジュールと、命令モジュールと、受信モジュールとを備える。接続モジュールは、外部表示装置に接続するように構成され、表示モジュールは、第1の画面を表示するように構成され、命令モジュールは、表示モジュールが第1の画面を表示するとき、第1のアプリケーションを含むが第2のアプリケーションを含まない第1のデスクトップを表示するように外部表示装置に命令し、第1の画面が第1のデスクトップとは異なる、ように構成され、受信モジュールは、第1の画面上でのユーザの第1の入力を受信するように構成され、表示モジュールは、受信モジュールによって受信された第1の入力に応じて、第1のアプリケーションおよび第2のアプリケーションを含む第2の画面を表示するようにさらに構成され、命令モジュールは、表示モジュールが第2の画面を表示するとき、第1のアプリケーションおよび第2のアプリケーションを含む第2のデスクトップを表示するように外部表示装置に命令するようにさらに構成される。
【００４７】
第5の態様に関連して、第1の可能な実装形態では、第1の入力に応じて表示モジュールによって表示される第2の画面に含まれるアプリケーションは、第2のデスクトップに含まれるアプリケーションと同じまたは異なる。
【００４８】
第5の態様または第1の可能な実装形態に関連して、第2の可能な実装形態では、「表示モジュールが第1の画面を表示するように構成される」ことは、表示モジュールが、第1のアプリケーションを含むが第2のアプリケーションを含まない第1の画面を表示するように、または選択状態にある第1のアプリケーションおよび非選択状態にある第2のアプリケーションを含む第1の画面を表示し、第2の画面上の第1のアプリケーションおよび第2のアプリケーションが選択状態にある、ように構成されることを特に含む。
【００４９】
第5の態様または可能な実装形態のいずれか1つに関連して、第3の可能な実装形態では、端末は判定モジュールをさらに備える。判定モジュールは、表示モジュールが第1の画面を表示する前に、端末が外部デバイスに接続されていることを判定するように構成される。
【００５０】
第5の態様または可能な実装形態のいずれか1つに関連して、第4の可能な実装形態では、「命令モジュールが、第1のアプリケーションを含むが第2のアプリケーションを含まない第1のデスクトップを表示するように外部表示装置に命令するように構成される」ことは、命令モジュールが、第1のデスクトップを第1の表示モードで表示するように外部表示装置に命令し、第1の表示モードがプリセットデフォルト表示モードである、ように構成されることを特に含む。
【００５１】
第4の可能な実装形態に関連して、第5の可能な実装形態では、受信モジュールは、命令モジュールが第1のアプリケーションを含むが第2のアプリケーションを含まない第1のデスクトップを表示するように外部表示装置に命令した後、第1のデスクトップ上でのモード切り替えオプションに対する外部デバイスの第2の入力を受信するようにさらに構成され、かつ命令モジュールは、受信モジュールによって受信された第2の入力に応じて、第1のデスクトップを第2の表示モードで表示するように外部表示装置に命令するようにさらに構成される、または受信モジュールは、命令モジュールが第1のアプリケーションを含むが第2のアプリケーションを含まない第1のデスクトップを表示するように外部表示装置に命令した後、端末上でのユーザの第3の入力を受信するようにさらに構成され、かつ命令モジュールは、第3の入力に応じて、第1のデスクトップを第2の表示モードで表示するように外部表示装置に命令するようにさらに構成される。第1の表示モードおよび第2の表示モードの詳細な説明については、第1の態様の説明および第1の態様の可能な実装形態の説明を参照されたい。詳細はここでは繰り返さない。
【００５２】
第5の態様または可能な実装形態のいずれか1つに関連して、第6の可能な実装形態では、命令モジュールは、第1のアプリケーションウィンドウおよび第2のアプリケーションウィンドウを含むマルチウィンドウ画面を表示するように外部表示装置に命令し、第1のアプリケーションウィンドウが現在フォーカスされているアプリケーションウィンドウである、ようにさらに構成され、受信モジュールは、マルチウィンドウ画面上でのユーザによるカーソルを第1の位置に移動する操作を受信するようにさらに構成され、命令モジュールは、現在フォーカスされているアプリケーションウィンドウを第1のアプリケーションウィンドウから第2のアプリケーションウィンドウに切り替えるように外部表示装置に命令するようにさらに構成される。
【００５３】
第5の態様の第6の可能な実装形態に関連して、第7の可能な実装形態では、受信モジュールは、第2のアプリケーションウィンドウでユーザによってトリガされたマウス操作またはキーボード操作を受信するようにさらに構成される。
【００５４】
第5の態様または可能な実装形態のいずれか1つに関連して、第8の可能な実装形態では、表示モジュールは、端末の表示画面に第3のアプリケーションウィンドウを表示するようにさらに構成され、命令モジュールは、第1のアプリケーションウィンドウおよび第2のアプリケーションウィンドウを含むマルチウィンドウ画面を表示するように外部表示装置に命令し、第1のアプリケーションウィンドウが現在フォーカスされているアプリケーションウィンドウである、ようにさらに構成され、受信モジュールは、ユーザによるカーソルを第3のアプリケーションウィンドウに移動する操作を受信するようにさらに構成され、判定モジュールは、第1の位置が第3のアプリケーションウィンドウ内に含まれることを判定するようにさらに構成され、表示モジュールは、現在フォーカスされているアプリケーションウィンドウを第1のアプリケーションウィンドウから第3のアプリケーションウィンドウに切り替えるようにさらに構成される。
【００５５】
第5の態様または上述の可能な実装形態のいずれか1つに関連して、第9の可能な実装形態では、命令モジュールは、ツールバーウィンドウを表示するように外部表示装置に命令し、ツールバーウィンドウがターゲットアプリケーションのアイコンを含む、ようにさらに構成され、受信モジュールは、ターゲットアプリケーションのアイコン上でユーザによって実行された特定の操作を受信するようにさらに構成され、命令モジュールは、ターゲットアプリケーションによってサポートされる少なくとも1つの表示モードを表示するように外部表示装置に命令し、少なくとも1つの表示モードが、全画面表示モード、横長表示モード、および縦長表示モードのうちの少なくとも1つを含む、ようにさらに構成される。
【００５６】
第5の態様の第9の可能な実装形態に関連して、第10の可能な実装形態では、命令モジュールは、ユーザによる全画面表示モードをトリガする操作に応じて、ターゲットアプリケーションの全画面表示リソースを表示画面にロードするように外部表示装置に命令するようにさらに構成される、命令モジュールは、ユーザによる横長表示モードをトリガする操作に応じて、ターゲットアプリケーションの横長表示リソースを表示画面にロードするように外部表示装置に命令するようにさらに構成される、または命令モジュールは、ユーザによる縦長表示モードをトリガする操作に応じて、ターゲットアプリケーションの縦長表示リソースを表示画面にロードするように外部表示装置に命令するようにさらに構成される。
【００５７】
第5の態様の第10の可能な実装形態に関連して、第11の可能な実装形態では、命令モジュールは、少なくとも1つの実行中のアプリケーションを一時停止するように外部表示装置に命令するようにさらに構成される。
【００５８】
第5の態様の第9の可能な実装形態に関連して、第12の可能な実装形態では、命令モジュールは、ユーザによる最小化された表示モードをトリガする操作に応じて、実行中のターゲットアプリケーションを一時停止するように外部表示装置に命令するようにさらに構成される。
【００５９】
第6の態様によれば、本出願は端末を提供する。端末は、接続モジュールと、表示モジュールと、命令モジュールと、受信モジュールとを備える。接続モジュールは、外部表示装置に接続するように構成され、表示モジュールは、第1のアプリケーションおよび第2のアプリケーションを含む第1の画面を表示するように構成され、命令モジュールは、表示モジュールが第1の画面を表示するとき、第1のアプリケーションおよび第2のアプリケーションを含む第1のデスクトップを表示するように外部表示装置に命令し、第1の画面が第1のデスクトップとは異なる、ように構成され、受信モジュールは、第1の画面上でのユーザの第1の入力を受信するように構成され、命令モジュールは、受信モジュールによって受信された第1の入力に応じて、第1のアプリケーションを含むが第2のアプリケーションを含まない第2のデスクトップを表示するように外部表示装置に命令するようにさらに構成される。
【００６０】
第6の態様に関連して、第1の可能な実装形態では、表示モジュールは、第1の入力に応じて、第1のアプリケーションを含むが第2のアプリケーションを含まない第2の画面を表示するように、または選択状態にある第1のアプリケーションおよび非選択状態にある第2のアプリケーションを含む第2の画面を表示し、第1の画面上の第1のアプリケーションおよび第2のアプリケーションの両方が選択状態にある、ようにさらに構成される。
【００６１】
第1の可能な実装形態に関連して、第2の可能な実装形態では、第1の入力に応じて表示モジュールによって表示される第2の画面に含まれるアプリケーションは、第2のデスクトップに含まれるアプリケーションと同じまたは異なる。
【００６２】
第6の態様または上述の可能な実装形態のいずれか1つに関連して、第3の可能な実装形態では、端末は判定モジュールをさらに備え得る。判定モジュールは、表示モジュールが第1の画面を表示する前に、端末が外部デバイスに接続されていることを判定するように構成される。
【００６３】
第6の態様または上述の可能な実装形態のいずれか1つに関連して、第3の可能な実装形態では、「命令モジュールは、第1のアプリケーションおよび第2のアプリケーションを含む第1のデスクトップを表示するように外部表示装置に命令するように構成される」ことは、命令モジュールは、第1のデスクトップを第1の表示モードで表示するように外部表示装置に命令するように構成されることを含む。
【００６４】
第2の可能な実装形態に関連して、第4の可能な実装形態では、受信モジュールは、命令モジュールが第1のデスクトップを第1の表示モードで表示するように外部表示装置に命令した後、第1のデスクトップ上でのモード切り替えオプションに対する外部デバイスの第2の入力を受信するようにさらに構成され、かつ命令モジュールは、第2の入力に応じて、第1のデスクトップを第2の表示モードで表示するように外部表示装置に命令するようにさらに構成される、または受信モジュールは、命令モジュールが第1のデスクトップを第1の表示モードで表示するように外部表示装置に命令した後、端末上でのユーザの第3の入力を受信するようにさらに構成され、かつ命令モジュールは、第3の入力に応じて、第1のデスクトップを第2の表示モードで表示するように外部表示装置に命令するようにさらに構成される。第1の表示モードおよび第2の表示モードの詳細な説明については、第1の態様の説明および第1の態様の可能な実装形態の説明を参照されたい。詳細はここでは繰り返さない。
【００６５】
本出願における第5の態様、第6の態様、ならびに第5の態様および第6の態様の可能な実装形態による外部デバイスおよび外部表示装置については、第1の態様および第1の可能な実装形態の説明を参照されたい。詳細はここでは繰り返さない。
【００６６】
第7の態様によれば、本出願は端末を提供する。端末は、外部表示装置および外部デバイスに接続するように構成された接続モジュールと、第1の画面を表示し、少なくとも第1のアプリケーションおよび第2のアプリケーションが第1の画面に表示される、ように構成された表示モジュールと、外部デバイスの第1の入力を受信するように構成された第1の受信モジュールと、第1の受信モジュールによって受信された第1の入力に応じて、第2の画面を表示するように外部表示装置に命令するように構成された命令モジュールと、表示モジュールによって表示された第1のアプリケーションに対する第2の入力を受信するように構成された第2の受信モジュールと、を備え、表示モジュールは、第2の受信モジュールによって受信された第2の入力に応じて、第1のアプリケーションに対応する第3の画面を表示するように構成され、端末は、外部表示装置および外部デバイスに接続されたままである。
【００６７】
第7の態様に関連して、第1の可能な実装形態では、第1の画面または第3の画面は、タッチドロップダウン通知バーまたはタッチ一時停止ボタンを備える。
【００６８】
具体的には、第2の受信モジュールは、第1の画面または第3の画面上で第3の入力を受信するようにさらに構成され、表示モジュールは、第2の受信モジュールによって受信された第3の入力に応じて、端末上にタッチパッド画面を表示するようにさらに構成され、第2の受信モジュールは、タッチパッド画面上での第4の入力を受信するようにさらに構成され、命令モジュールは、第2の受信モジュールによって受信された第4の入力に応じて、第4の画面を表示するように外部表示装置に命令するようにさらに構成される。
【００６９】
第7の態様または第1の可能な実装形態に関連して、第2の可能な実装形態では、表示モジュールは、端末が外部デバイスに接続されていないときにタッチパッド画面を表示するようにさらに構成され、第2の受信モジュールは、タッチパッド画面上での第4の入力を受信するようにさらに構成され、命令モジュールは、第2の受信モジュールによって受信された第4の入力に応じて、第4の画面を表示するように外部表示装置に命令するようにさらに構成される。
【００７０】
第7の態様または上述の可能な実装形態のいずれか1つに関連して、第3の可能な実装形態では、端末はアダプタケーブルもしくはDockデバイスを使用することにより外部表示装置に接続される、または端末はワイヤレス接続方式で外部表示装置に接続される。
【００７１】
第8の態様によれば、本出願は端末を提供する。端末は、接続モジュールと、命令モジュールと、表示モジュールとを備える。接続モジュールは、外部表示装置に接続するように構成され、命令モジュールは、第1の画面を表示するように外部表示装置に命令するように構成され、表示モジュールは、動作可能な機能項目を表示し、動作可能な機能項目が第1の画面の表示内容に関連し、動作可能な機能項目が第1の画面の表示内容を制御するために使用される、ように構成される。
【００７２】
第9の態様によれば、本出願は、1つまたは複数のプロセッサと、メモリと、通信インターフェースと、端末の表示画面とを備える端末を提供する。メモリ、端末の表示画面、および通信インターフェースは1つまたは複数のプロセッサに接続され、通信インターフェースは外部表示装置に接続するように構成され、端末の表示画面はユーザのタッチ入力を受信するように構成される。
【００７３】
メモリはコンピュータプログラムコードを格納するように構成され、コンピュータプログラムコードはコンピュータ命令を含み、1つまたは複数のプロセッサがコンピュータ命令を実行すると、端末は、対応する内容を端末の表示画面に表示するように、または対応する内容を表示するように外部表示装置に命令するように、第1の態様、第2の態様、第3の態様、もしくは第4の態様、またはそれらの可能な実装形態のいずれか1つによる表示方法を実行する。
【００７４】
第10の態様によれば、本出願は、コンピュータ記憶媒体を提供する。コンピュータ記憶媒体はコンピュータ命令を含み、コンピュータ命令が端末上で実行されると、端末は、第1の態様、第2の態様、第3の態様、もしくは第4の態様、またはそれらの可能な実装形態のいずれか1つによる表示方法を実行する。
【００７５】
第11の態様によれば、本出願は、コンピュータプログラム製品を提供する。コンピュータプログラム製品がコンピュータ上で実行されると、コンピュータは、第1の態様、第2の態様、第3の態様、もしくは第4の態様、またはそれらの可能な実装形態のいずれか1つによる表示方法を実行する。
【００７６】
上述の第5の態様、第6の態様、第7の態様、第8の態様、および第9の態様による端末、第10の態様によるコンピュータ記憶媒体、または第11の態様によるコンピュータプログラム製品は、第1の態様、第2の態様、第3の態様、もしくは第4の態様、またはそれらの可能な実装形態のいずれか1つによる対応する方法を実行するように構成されることが理解されよう。したがって、端末、コンピュータ記憶媒体、またはコンピュータプログラム製品によって達成され得る有益な効果については、第2の態様および可能な実装形態のいずれか1つによる対応する方法の有益な効果を参照されたい。ここでは詳細は繰り返さない。
【図面の簡単な説明】
【００７７】
【図１】本発明の一実施形態による、端末と外部表示装置との接続の一例の概略図1である。
【図２】本発明の一実施形態による、端末と外部表示装置との接続の一例の概略図2である。
【図３】本発明の一実施形態による、端末と外部表示装置との接続の一例の概略図3である。
【図４】本発明の一実施形態による、端末と外部表示装置との接続の一例の概略図4である。
【図５】本発明の一実施形態による、端末と外部表示装置との接続の一例の概略図5である。
【図６】本発明の一実施形態による、携帯電話のハードウェアの概略構成図である。
【図７】本発明の一実施形態による、表示方法の流れ図1である。
【図８】本発明の一実施形態による、端末の表示された画面および外部表示装置の一例の概略図1である。
【図９】本発明の一実施形態による、端末の表示された画面および外部表示装置の一例の概略図2である。
【図１０】本発明の一実施形態による、端末の表示された画面および外部表示装置の一例の概略図3である。
【図１１】本発明の一実施形態による、端末の表示された画面および外部表示装置の一例の概略図4である。
【図１２】本発明の一実施形態による、表示方法の流れ図2である。
【図１３】本発明の一実施形態による、端末の表示された画面および外部表示装置の一例の概略図5である。
【図１４】本発明の一実施形態による、端末の表示された画面および外部表示装置の一例の概略図6である。
【図１５】本発明の一実施形態による、端末の表示された画面および外部表示装置の一例の概略図7である。
【図１６】本発明の一実施形態による、端末の表示された画面の一例の概略図1である。
【図１７】本発明の一実施形態による、表示方法の流れ図3である。
【図１８】本発明の一実施形態による、端末の表示された画面および外部表示装置の一例の概略図8である。
【図１９】本発明の一実施形態による、端末の表示された画面および外部表示装置の一例の概略図9である。
【図２０】本発明の一実施形態による、端末の表示された画面および外部表示装置の一例の概略図10である。
【図２１】本発明の一実施形態による、端末の表示された画面および外部表示装置の一例の概略図11である。
【図２２】本発明の一実施形態による、端末の表示された画面および外部表示装置の一例の概略図12である。
【図２３】本発明の一実施形態による、端末の表示された画面および外部表示装置の一例の概略図13である。
【図２４】本発明の一実施形態による、端末の表示された画面および外部表示装置の一例の概略図14である。
【図２５】本発明の一実施形態による、端末の表示された画面および外部表示装置の一例の概略図15である。
【図２６】本発明の一実施形態による、端末の表示された画面および外部表示装置の一例の概略図16である。
【図２７】本発明の一実施形態による、端末の表示された画面および外部表示装置の一例の概略図17である。
【図２８】本発明の一実施形態による、表示方法の流れ図4である。
【図２９】本発明の一実施形態による、端末の表示された画面および外部表示装置の一例の概略図18である。
【図３０】本発明の一実施形態による、端末の表示された画面および外部表示装置の一例の概略図19である。
【図３１】本発明の一実施形態による、表示方法の流れ図5である。
【図３２】本発明の一実施形態による、端末の表示された画面および外部表示装置の一例の概略図20である。
【図３３】本発明の一実施形態による、端末の表示された画面および外部表示装置の一例の概略図21である。
【図３４】本発明の一実施形態による、端末の表示された画面および外部表示装置の一例の概略図22である。
【図３５】本発明の一実施形態による、端末の表示された画面および外部表示装置の一例の概略図23である。
【図３６】本発明の一実施形態による、端末の表示された画面および外部表示装置の一例の概略図24である。
【図３７】本発明の一実施形態による、端末の表示された画面および外部表示装置の一例の概略図25である。
【図３８】本発明の一実施形態による、端末の表示された画面の一例の概略図2である。
【図３９】本発明の一実施形態による、端末の表示された画面の一例の概略図3である。
【図４０】本発明の一実施形態による、端末の表示された画面の一例の概略図4である。
【図４１】本発明の一実施形態による端末の概略構成図1である。
【図４２】本発明の一実施形態による端末の概略構成図2である。
【図４３】本発明の一実施形態による端末の概略構成図3である。
【図４４】本発明の一実施形態による、端末の表示された画面および外部表示装置の一例の概略図26である。
【図４５】本発明の一実施形態による、端末の表示された画面および外部表示装置の一例の概略図27である。
【図４６】本発明の一実施形態による、端末の表示された画面および外部表示装置の一例の概略図28である。
【図４７】本発明の一実施形態による、端末の表示された画面および外部表示装置の一例の概略図29である。
【図４８】本発明の一実施形態による、端末の表示された画面および外部表示装置の一例の概略図30である。
【図４９Ａ】本発明の一実施形態による、端末の表示された画面および外部表示装置の一例の概略図31である。
【図４９Ｂ】本発明の一実施形態による、端末の表示された画面および外部表示装置の一例の概略図31である。
【図５０Ａ】本発明の一実施形態による、端末の表示された画面および外部表示装置の一例の概略図32である。
【図５０Ｂ】本発明の一実施形態による、端末の表示された画面および外部表示装置の一例の概略図32である。
【図５１】本発明の一実施形態による、端末の表示された画面および外部表示装置の一例の概略図33である。
【図５２】本発明の一実施形態による、端末の表示された画面および外部表示装置の一例の概略図34である。
【図５３】本発明の一実施形態による、端末の表示された画面および外部表示装置の一例の概略図35である。
【図５４】本発明の一実施形態による、端末の表示された画面および外部表示装置の一例の概略図36である。
【発明を実施するための形態】
【００７８】
本発明の実施形態は、表示方法を提供する。表示方法は、端末に適用されてもよく、具体的には、端末が外部表示装置に接続されたときに、端末の表示内容を外部表示装置に投射する処理に適用されてもよい。
【００７９】
本発明の実施形態では、端末は、スイッチングデバイスを使用することにより、またはワイヤレス接続方式で外部表示装置に接続され得る。加えて、端末が外部表示装置に接続されるとき、外部表示装置は外部デバイス（キーボードおよび／またはマウスなど）に接続されてもされなくてもよい。
【００８０】
例えば、本発明の実施形態における端末は、携帯電話、タブレットコンピュータ、ウェアラブルデバイス、拡張現実（augmented reality、AR）／仮想現実（virtual reality、VR）デバイス、ノートパソコン、ウルトラモバイルパーソナルコンピュータ（ultra-mobile personal computer、UMPC）、ネットブック、携帯情報端末（personal digital assistant、PDA）などであってよい。このことは、本発明の実施形態において限定されない。本発明の実施形態における外部表示装置は、PCのディスプレイ、テレビセット、タブレットコンピュータ、プロジェクタなどの任意の表示装置であってよい。
【００８１】
例えば、端末が携帯電話であり、外部表示装置がPCのディスプレイである例を使用することにより、端末が外部表示装置に接続される方式が以下に説明される。
【００８２】
図1に示されるように、携帯電話110は、スイッチングデバイス130を使用することによりディスプレイ120に接続され得る。スイッチングデバイス130は、携帯電話データケーブルのユニバーサルシリアルバス（Universal Serial Bus、USB）インターフェースに接続されてよく、端末データケーブルのタイプCインターフェースは携帯電話110に接続される。スイッチングデバイス130はまた、アダプタケーブルを使用することによりディスプレイ120に接続されてもよい。アダプタケーブルは、ハイデフィニション・マルチメディア・インターフェース（High Definition Multimedia Interface、HDMI（登録商標））接続ケーブル、ビデオグラフィックスアレイ（Video Graphics Array、VGA）接続ケーブル、デジタルビジュアルインターフェース（Digital Visual Interface、DVI）接続ケーブルなどのいずれか1つを含み得る。
【００８３】
本発明の実施形態におけるスイッチングデバイス130は、モバイル・ハイデフィニション・リンク（Mobile High-Definition Link、MHL）デバイスであってもよい。MHLデバイスは、表示のために、モバイル端末（携帯電話など）の音声信号またはビデオ信号を外部表示デバイス（すなわち、ディスプレイ120）に同時に送信することができる。
【００８４】
あるいは、図2に示されるように、携帯電話110は、ワイヤレス接続201を使用することによりディスプレイ120に接続されてもよい。ワイヤレス接続201は、Bluetooth（登録商標）接続またはワイヤレスフィデリティ（Wireless Fidelity、Wi-Fi（登録商標））接続であってもよい。
【００８５】
当然のことながら、スイッチングデバイス130は、外部デバイス（キーボードおよび／またはマウス）に接続するように構成されたインターフェースをさらに備えることができ、外部デバイスは外部表示装置を制御するように構成される。
【００８６】
図1または図2に示されるように、スイッチングデバイス130を使用することにより携帯電話110がディスプレイ120に接続された後、スイッチングデバイス130はキーボードおよび／またはマウスに接続されず、携帯電話110は外部表示装置を制御するためのタッチパッドとして使用されてもよい。あるいは、図3に示されるように、スイッチングデバイス130は、キーボード140およびマウス150に接続するように構成され、かつキーボード140およびマウス150の接続ケーブルに接続するように構成されたインターフェースをさらに備えることができる。当然のことながら、図4に示されるように、キーボード140およびマウス150はまた、ワイヤレス方式でディスプレイ120に接続されてもよい。
【００８７】
場合により、携帯電話は、図5に示されるDockデバイス122を使用することによりディスプレイ120に代替的に接続されてもよい。ディスプレイ120はまた、キーボード140およびマウス150にも接続され得る。例えば、キーボードおよびマウスのそれぞれは、接続ケーブルを使用することによりDockデバイス122に接続されてもよいし、キーボードおよびマウスは、携帯電話110またはDockデバイス122にワイヤレス接続方式で接続されてもよい。Dockデバイス122は上述のMHLデバイスのうちの1つであり得る。
【００８８】
実施形態における特定の技術的解決策を端末がどのように実装するかは、例として携帯電話を使用することにより、以下の実施形態で説明される。図6に示されるように、本実施形態の端末は携帯電話110であってもよい。本実施形態は、携帯電話110を例として使用することにより具体的に以下に説明される。
【００８９】
図示の携帯電話110は端末の一例に過ぎず、携帯電話110は、図に示されるものより多いもしくは少ない構成要素、2つ以上の構成要素の組み合わせ、または異なる仕方で配置された構成要素をさらに含んでもよいことを理解されたい。図6に示される様々な構成要素は、1つまたは複数の信号プロセッサおよび／もしくは特定用途向け集積回路を含むハードウェア、ソフトウェア、またはハードウェアとソフトウェアとの組み合わせで実装されてもよい。
【００９０】
図6に示されるように、携帯電話110は、無線周波数（Radio Frequency、RF）回路610、メモリ620、入力ユニット630、表示ユニット640、センサ650、音声回路660、ワイヤレスフィデリティ（Wireless Fidelity、Wi-Fi）モジュール670、プロセッサ680、および電源690などの構成要素を備える。当業者は、図6に示される携帯電話の構造が携帯電話に対する限定を構成せず、携帯電話が図に示されるものよりも多いまたは少ない構成要素、またはいくつかの構成要素の組み合わせ、または異なる仕方で配置された構成要素を備え得ることを理解されよう。
【００９１】
以下、図6を参照して、携帯電話110の各構成要素について具体的に説明する。
【００９２】
RF回路610は、情報を受信および送信する、または呼処理において信号を受信および送信するように構成され得る。RF回路610は、基地局のダウンリンク情報を受信し、次いで、処理のためにダウンリンク情報をプロセッサ680に送信し、また関連するアップリンクデータを基地局に送信することができる。通常、RF回路は、アンテナ、少なくとも1つの増幅器、送受信機、カプラ、低雑音増幅器、およびデュプレクサなどのデバイスを含むが、これらに限定されない。加えて、RF回路610はまた、ワイヤレス通信を通じてネットワークおよび別のモバイルデバイスとさらに通信することができる。ワイヤレス通信では任意の通信規格またはプロトコルを使用でき、汎欧州デジタル移動電話方式、汎用パケット無線サービス、符号分割多元接続、広帯域符号分割多元接続、ロングタームエボリューション、電子メール、およびショートメッセージサービスを含むがこれらに限定されない。
【００９３】
メモリ620は、ソフトウェアプログラムおよびデータを格納するように構成され得る。プロセッサ680は、携帯電話110の様々な機能を実行し、メモリ620に格納されたソフトウェアプログラムおよびデータを実行することによりデータを処理する。メモリ620は、プログラム記憶領域とデータ記憶領域とを主に含むことができる。プログラム記憶領域は、オペレーティングシステム、少なくとも1つの機能（音声再生機能または画像再生機能など）により必要とされるアプリケーションプログラムなどを格納し得る。データ記憶領域は、携帯電話110の使用に基づいて作成されたデータ（音声データおよび電話帳など）などを格納し得る。加えて、メモリ620は、高速ランダムアクセスメモリを含むことができ、少なくとも1つのディスクストレージデバイス、フラッシュメモリデバイスなどの不揮発性メモリ、または別の不揮発性ソリッドステートストレージデバイスをさらに含むことができる。以下の実施形態では、メモリ620は、Apple Inc.により開発されたiOS（登録商標）オペレーティングシステム、Google Inc.により開発されたAndroid（登録商標）オープンソースオペレーティングシステム、またはMicrosoft Corporationにより開発されたWindows（登録商標）オペレーティングシステムなど、携帯電話110の実行を可能にするオペレーティングシステムを格納する。
【００９４】
入力ユニット630（タッチ画面など）は、入力された数字もしくは文字情報を受信し、携帯電話110のユーザ設定および機能制御に関連する信号入力を生成するように構成され得る。具体的には、入力ユニット630はタッチパネル631を備えることができ、タッチパネル631は、タッチパネル631上またはその付近でのユーザにより実行されるタッチ操作（指またはスタイラスなどの任意の適切な物体または付属品を使用することによりタッチパネル631上またはタッチパネル131付近でユーザにより実行された操作など）を収集し、所定のプログラムに従って対応する接続装置を駆動し得る。場合により、タッチパネル631は、2つの部分、すなわち、タッチ検出装置およびタッチコントローラ（図6に示さず）を備え得る。タッチ検出装置は、ユーザのタッチ方向を検出し、タッチ操作により生成された信号を検出し、信号をタッチコントローラに送信する。タッチコントローラは、タッチ検出装置からタッチ情報を受信し、タッチ情報をタッチポイント座標に変換し、タッチポイント座標をプロセッサ680に送信し、プロセッサ680によって送信された命令を受信して実行することができる。加えて、タッチパネル631は、抵抗方式、容量方式、赤外線方式、および表面弾性波方式などの複数の方式を使用することにより実装され得る。
【００９５】
表示ユニット640（すなわち、表示画面）は、ユーザによって入力された情報またはユーザに提供される情報、および携帯電話110の様々なメニューのグラフィカルユーザインターフェース（Graphical User Interface、GUI）を表示するように構成され得る。表示ユニット640は、携帯電話110の前面に配置された表示パネル641を備え得る。表示パネル641は、外部の液晶表示装置、発光ダイオードなどの形態で構成され得る。
【００９６】
いくつかの実施形態では、光学式タッチキーが携帯電話110の前面の一番下に配置されてもよく、タッチパネル631および表示パネル641がさらに配置される。タッチパネル631は表示パネル641を覆う。タッチパネル631上またはその付近でのタッチ操作が検出された後、タッチパネル631は、タッチイベントを判定するためにタッチ操作に関する情報をプロセッサ680に転送し、次いで、プロセッサ680は、タッチイベントの種類に基づいて表示パネル641上に対応する視覚的出力を提供する。図6では、タッチパネル631および表示パネル641は、携帯電話110の入力機能および出力機能を実装するための2つの独立した構成要素として構成される。しかしながら、いくつかの実施形態では、タッチパネル631および表示パネル641は、携帯電話110の入力機能および出力機能を実現するために統合され得る。統合されたタッチパネル631および表示パネル641は、タッチ表示画面と呼ばれ得る。
【００９７】
いくつかの他の実施形態では、圧力センサがタッチパネル631上にさらに配置され得る。このようにして、ユーザがタッチパネル上でタッチ操作を行うと、タッチパネルはタッチ操作の圧力をさらに検出でき、その結果、携帯電話110はタッチ操作をより正確に検出できる。
【００９８】
携帯電話110は、光センサ、動きセンサ、および別のセンサなどの少なくとも1つのセンサ650をさらに備えることができる。具体的には、光センサは、周囲光センサおよび近接センサを含み得る。周囲光センサ651は、周囲光の明るさに応じて表示パネル641の輝度を調整してもよい。光近接センサ652は、携帯電話110の前面に配置される。携帯電話110が耳の近くに移動すると、携帯電話110は、光近接センサ652による検出に基づいて、表示パネル641の電源をオフにする。このようにして、携帯電話110は電気をさらに節約することができる。一種の動きセンサとして、加速度センサは、様々な方向（通常は3軸）の加速度の大きさを検出してもよいし、静止状態で重力の大きさおよび方向を検出してもよいし、携帯電話の姿勢を認識するアプリケーション（横長モードと縦長モードと間の画面切り替え、関連するゲーム、磁力計の姿勢較正など）、振動識別関連機能（歩数計やタップなど）などに使用されてもよい。ジャイロスコープ、気圧計、湿度計、温度計、および赤外線センサなど、携帯電話110のために構成され得る他のセンサについては、ここでは詳細を説明しない。
【００９９】
音声回路660、ラウドスピーカ661、およびマイクロフォン662は、ユーザと携帯電話110との間に音声インターフェースを提供し得る。音声回路660は、受信された音声データから変換された電気信号をラウドスピーカ661に送信することができ、ラウドスピーカ661は電気信号を音声信号に変換して音声信号を出力する。加えて、マイクロフォン262は、収集された音声信号を電気信号に変換し、音声回路660は、電気信号を受信し、電気信号を音声データに変換し、音声データをRF回路610に出力し、その結果、音声データが例えば別の携帯電話に送信される、またはさらなる処理のために音声データをメモリ620に出力する。
【０１００】
Wi-Fiは近距離無線伝送技術である。Wi-Fiモジュール670により、携帯電話110は、ユーザが、電子メールを受信および送信すること、ウェブページを閲覧すること、ストリーミングメディアにアクセスすることなどを助け得る。Wi-Fiモジュール670は、ユーザにブロードバンドインターネットへのワイヤレスアクセスを提供する。
【０１０１】
プロセッサ680は、携帯電話110のコントロールセンタであり、様々なインターフェースおよび配線を使用することにより、携帯電話全体のすべての構成要素に接続される。メモリ620に格納されたソフトウェアプログラムを稼働または実行することにより、またメモリ620に格納されたデータを呼び出すことにより、プロセッサ680は、携帯電話の全体的な監視を実行するために、携帯電話110の様々な機能を実行し、データを処理する。いくつかの実施形態では、プロセッサ680は1つまたは複数の処理ユニットを含み得る。アプリケーションプロセッサおよびモデムプロセッサは、プロセッサ680に統合されてもよい。アプリケーションプロセッサは、オペレーティングシステム、ユーザインターフェース、アプリケーションプログラムなどを主に処理し、モデムプロセッサはワイヤレス通信を主に処理する。モデムプロセッサは、プロセッサ680に統合されていなくてもよいことが理解されよう。
【０１０２】
Bluetoothモジュール681は、近距離通信プロトコルであるBluetoothを使用することにより別のデバイスと情報を交換するように構成される。例えば、携帯電話110は、データを交換するために、Bluetoothモジュール681を使用することにより、Bluetoothモジュールを同様に有するウェアラブル電子デバイス（スマートウォッチなど）へのBluetooth接続を確立することができる。
【０１０３】
携帯電話110は、各構成要素に電力を供給する電源690（バッテリなど）をさらに備える。電源は、電源管理システムを使用することにより充電管理、放電管理、および電力消費管理などの機能を実施するために、電源管理システムを使用することによりプロセッサ680に論理的に接続されてもよい。以下の実施形態では、電源690は、表示パネル641およびタッチパネル631に電力を供給するように構成され得ることが理解されよう。
【０１０４】
以下の実施形態のすべての方法は、上述のハードウェア構造を有する携帯電話110で実施され得る。
【０１０５】
本発明の後続の実施形態における方法のステップは、上述の端末によって実行され得る、または本発明の実施形態において提供される表示方法は、端末の中央処理装置（Central Processing Unit、CPU）などの端末のいくつかの機能モジュールによって実行され得ることが理解されよう。このことは、本発明の実施形態において限定されない。本発明の実施形態では、本発明の実施形態で提供される表示方法は、端末が表示方法を実行する例を用いることにより詳細に説明される。
【０１０６】
本発明の一実施形態は、表示方法を提供する。図7に示されるように、表示方法は、S701およびS702ならびに後続の方法プロセスを含み得る。
【０１０７】
S701：端末が外部表示装置に接続される。
【０１０８】
例えば、図1から図5のいずれか1つに示されるように、端末は、有線接続またはワイヤレス接続方式により外部表示装置に接続され得る。
【０１０９】
場合により、端末が外部表示装置に接続されている場合、端末は、図1、図2、または図5のいずれか1つに示されている大画面投射ようこそ画面117を端末の表示画面に表示することもできるし、端末は、図3または図4に示されている「大画面投射ようこそ画面」118を端末の表示画面に表示することもできる。具体的には、端末が外部デバイスに接続されている場合、端末は、図3または図4に示される「大画面投射ようこそ画面」118を端末の表示画面に表示することができる、または外部表示装置が外部デバイスに接続されていない場合、端末は、図1、図2、または図5のいずれか1つに示される「大画面投射ようこそ画面」117を端末の表示画面に表示することができる。
【０１１０】
端末は、図1から図5のいずれか1つに示されている「大画面投射へようこそ」プロンプト121を外部表示装置に表示し得る。
【０１１１】
例として図4を使用すると、ユーザが図4に示される「大画面投射ようこそ画面」118で「スキップ」オプション113をタップしたとき、または端末が図4に示される「大画面投射ようこそ画面」118を端末の表示画面に特定の時間表示した後、端末は図8に示される端末画面801を端末の表示画面上に表示し、図8に示される大画面ウィンドウ803を外部表示装置上に表示し得る。
【０１１２】
S702：端末は、端末が外部デバイスに接続されているか否かを判定する。
【０１１３】
外部デバイスは、キーボードおよび／またはマウスを含む。当然のことながら、外部デバイスは、サウンダおよびマイクロフォンなどの他のデバイスをさらに含んでもよい。
【０１１４】
具体的には、端末が外部デバイスに接続されている場合、S801からS803が実行され得る、または外部表示装置が外部デバイスに接続されていない場合、S901およびS902が実行され得る。
【０１１５】
S801：端末は第1の画面を表示し、少なくとも第1のアプリケーションおよび第2のアプリケーションが第1の画面に表示される。
【０１１６】
S802：外部デバイスの第1の入力に応じて、端末は、第2の画面を表示するように外部表示装置に命令する。
【０１１７】
S803：第1のアプリケーションに対する第2の入力に応じて、端末は、第1のアプリケーションに対応する第3の画面を表示し、端末は外部表示装置および外部デバイスに接続されたままである。
【０１１８】
端末が外部デバイスに接続されると、外部表示装置のカーソルはキーボードまたはマウスによって制御され得、端末はキーボードまたはマウスの第1の入力に応じて外部表示装置に第2の画面を表示し得る。端末によって表示される内容は、端末の表示パネル（端末の表示画面など）に表示される第1のアプリケーションに対する第2の入力に応じて端末によって表示される第3の画面であり得る。端末のタッチパネルおよび表示パネルは、端末の表示画面として統合されてもよい。
【０１１９】
第2の画面と第3の画面とは同じであっても異なっていてもよい。ただし、第2の画面は、端末が外部デバイスの入力を受信した後に外部表示装置に表示される内容であり、第3の画面は、端末が端末のタッチパネルの入力を受信した後に端末の表示パネルに表示される内容である。
【０１２０】
例えば、ユーザが指を使用することにより図8に示される端末画面801の「設定」オプション802をタップすると、端末は、端末の表示画面上で「設定」オプション802に対してユーザによって実行されたタップ操作（すなわち、端末の表示画面上の第2の入力）に応じて、図9に示される「設定画面」901（すなわち、第3の画面）を端末の表示画面上に表示することができる。
【０１２１】
図9に示されるように、ユーザが、外部表示装置に表示された「Music（ミュージック）」オプション902を移動するために、マウスを使用することにより外部表示装置のカーソルを制御し、「Music」オプション902をタップまたはダブルタップすると、端末は、外部表示装置上でのマウス（すなわち、外部デバイス）の第1の入力に応じて、図10に示される「音楽再生画面」1001（すなわち、第2の画面）を外部表示装置に表示し得る。
【０１２２】
図9および図10に示されるように、端末に表示される端末画面（第3の画面）は、外部表示装置に表示される大画面ウィンドウ（第2の画面）とは異なる。換言すれば、端末と外部表示装置とは互いに独立しており、異なる内容を表示し得る。
【０１２３】
外部表示装置が外部デバイスに接続されていないとき、端末は外部表示装置を制御するためのタッチパッドとして使用され得る。具体的には、外部表示装置が外部デバイスに接続されていないとき、本発明の本実施形態における方法は、S901およびS902をさらに含み得る。
【０１２４】
S901：端末はタッチパッド画面を表示する。
【０１２５】
例として図2を使用すると、外部表示装置が外部デバイスに接続されていない場合、ユーザが図2に示される「大画面投射ようこそ画面」117で「スキップ」オプション113をタップしたとき、または端末が図2に示される「大画面投射ようこそ画面」117を端末の表示画面に特定の時間表示した後、端末は端末の表示画面上に図11に示されるタッチパッド画面1101を表示し、外部表示装置上に図11に示される大画面ウィンドウ1102を表示し得る。
【０１２６】
ユーザが指1104を使用することにより図11に示されるタッチパッド画面1101にタッチし、タッチパッド画面1101上で指1104を移動すると、図11に示される大画面ウィンドウ1102内のカーソル123が対応して移動するように制御され得る。
【０１２７】
S902：タッチパッド画面上での第4の入力に応じて、端末は、第4の画面を表示するように外部表示装置に命令する。
【０１２８】
外部表示装置のタッチパッドとしての端末により、対応する表示内容を表示するように外部表示装置を制御するための方法については、従来技術の関連する説明を参照されたい。本発明の本実施形態では詳細は繰り返さない。
【０１２９】
本発明の本実施形態で提供される表示方法によれば、端末が外部表示装置に接続され、外部表示装置が外部デバイスに接続される場合、端末は、第2の画面を表示するように外部表示装置を制御するために外部デバイスを使用することができ、端末は、外部表示装置から独立しており、端末の表示画面上での入力に応じて第3の画面を表示し得る。換言すれば、端末と外部表示装置とは互いに独立しており、異なる内容を表示し得る。
【０１３０】
場合により、本発明の本実施形態のアプリケーションシナリオでは、第1の画面および／または第3の画面は、タッチドロップダウン通知バーまたはタッチ一時停止ボタンをさらに備え得る。このアプリケーションシナリオでは、端末が外部デバイスに接続されている場合でも、ユーザは、外部表示装置のタッチパッドとして機能するように端末を制御するために、タッチドロップダウン通知バーまたはタッチ一時停止ボタンを使用することができる。換言すれば、このアプリケーションシナリオでは、外部表示装置によって表示される内容は、外部デバイス（つまり、マウスおよび／またはキーボード）によって制御されてもよいし、タッチパッドとしての端末の表示画面によって制御されてもよい。具体的には、図12に示されるように、図7に示されるS803の後、本発明の本実施形態における方法は、S804およびS805をさらに含むことができる。
【０１３１】
S804：端末は、タッチドロップダウン通知バーまたはタッチ一時停止ボタンに対する第3の入力に応じてタッチパッド画面を表示する。
【０１３２】
第1の画面または第3の画面は、タッチドロップダウン通知バーまたはタッチ一時停止ボタンをさらに含むことができる。例として図8を用いると、図13に示されるように、「タッチドロップダウン通知バー」1301はまた、端末によって表示される第1の画面または第3の画面にも表示され得る。
【０１３３】
あるいは、図14に示されるように、端末が「Reading（読書）」アプリケーションの「読み物a」画面を表示していると仮定すると、「タッチ一時停止ボタン」1401が図14に示される「読み物a」画面に表示され得る。「タッチ一時停止ボタン」1391は、「タッチ一時停止ボタン」1391上でユーザによって実行されたドラッグ操作に応じて、ドラッグトラックに沿って端末上の任意の位置に表示され得る。
【０１３４】
例えば、ユーザが指を使用することにより図13に示される「タッチドロップダウン通知バー」1301をタップすると、またはユーザが指を使用することにより図14に示される「タッチ一時停止ボタン」1391をタップすると、端末は、図15に示されるタッチパッド画面1101を表示し得る。
【０１３５】
ユーザが指1104を使用することにより図15に示されるタッチパッド画面1101にタッチし、タッチパッド画面1101上で指1104を移動すると、図15に示される大画面ウィンドウ1102内のカーソル123が対応して移動するように制御され得る。
【０１３６】
端末は、タッチパッドとして、大画面ウィンドウ1102でカーソル123を制御できるだけでなく、タッチ画面の仮想キーボードアイコンを使用することにより外部表示装置上で文字またはテキストを入力できることが理解されよう。端末の表示画面上に表示されるタッチ画面は、仮想キーボードアイコンをさらに含み得る。
【０１３７】
例えば、図11または図15に示されるタッチパッド画面1101は、「仮想キーボードアイコン」1103をさらに備えることができる。ユーザが図16Aに示される「仮想キーボードアイコン」1103をタップすると、端末は、図16Bに示されるシミュレートされたキーボードおよびマウス画面を表示し得る。図16Bに示されるシミュレートされたキーボードおよびマウス画面は、「受信箱」1602およびシミュレートされたキーボード1601を含むことができる。シミュレートされたキーボード1601は、受信箱1602に文字またはテキストを入力するために使用される。
【０１３８】
S805：タッチパッド画面に対する第4の入力に応じて、端末は、第4の画面を表示するように外部表示装置に命令する。
【０１３９】
端末により、S805のタッチパッド画面に対する第4の入力に応じて、外部表示装置に第4の画面を表示するための方法については、S902の説明を参照されたい。本発明の本実施形態では詳細は繰り返さない。
【０１４０】
本発明の本実施形態で提供される表示方法によれば、端末が外部デバイスに接続されている場合でも、ユーザは、外部表示装置のタッチパッドとして機能するように端末を制御するために、タッチドロップダウン通知バーまたはタッチ一時停止ボタンを使用することができる。換言すれば、このアプリケーションシナリオでは、外部表示装置によって表示される内容は、外部デバイス（つまり、マウスおよび／もしくはキーボードまたは手書きタブレット）によって制御されてもよいし、タッチパッドとしての端末の表示画面によって制御されてもよい。
【０１４１】
本出願のいくつかの実施形態では、端末110は、外部表示装置120の表示画面上に複数のアプリケーションのアプリケーションウィンドウを表示するように外部表示装置120をさらに制御し得る。例えば、図44に示されるように、「Music（ミュージック）」アプリケーションの第1のアプリケーションウィンドウ441および「Mail（メール）」アプリケーションの第2のアプリケーションウィンドウ442は、外部表示装置120のデスクトップ上で実行される。「Music」アプリケーションと「Mail」アプリケーションとは両方とも、端末110から外部表示装置120に投射されるアプリケーションである。
【０１４２】
このマルチアプリケーションウィンドウ投射シナリオでは、端末110は外部表示装置120を制御するためのタッチパッドとして依然として使用され得る。この場合、図44の第1のアプリケーションウィンドウ441および第2のアプリケーションウィンドウ442など、複数のアプリケーションウィンドウが外部表示装置120に表示される。次いで、ユーザが、タップまたはダブルタップなどのマウス操作を実行するために外部表示装置120に表示されたカーソル400を制御するために端末110をタッチパッドとして使用する場合、端末110は、マウス操作の対象が現在フォーカスされているアプリケーションウィンドウであるか否かをまず判定し得る。
【０１４３】
フォーカスされたアプリケーションウィンドウは、複数の現在のアプリケーションウィンドウから選択されたアプリケーションウィンドウである。フォーカスされたアプリケーションウィンドウにおいて、ユーザはウィンドウ内のウィジェットを直接操作したり、ウィンドウ内の情報を編集したりできる。通常、フォーカスされたアプリケーションウィンドウはデスクトップの上部に表示される。
【０１４４】
例えば、図45に示されるように、ユーザは、外部表示装置120上のカーソル400の位置を制御するために、端末110によって表示されたタッチパッド画面1101上で指を上から下または左から右に動かす。ユーザが指1104を使用することによりタッチパッド画面1101上の第1の位置P（x, y）でタップ操作を実行すると、それに応じて外部表示装置120の表示された画面上の第2の位置Q（x', y'）でマウスクリック操作が実行される。
【０１４５】
さらに図45に示されるように、外部表示装置120は、第1のアプリケーションウィンドウ441および第2のアプリケーションウィンドウ442の2つのアプリケーションウィンドウを表示し、現在フォーカスされているアプリケーションウィンドウは第1のアプリケーションウィンドウ441である。
【０１４６】
次いで、端末110は、第2の位置Q（x', y'）に基づいて、マウス操作が第1のアプリケーションウィンドウ441内に含まれるか否かを判定し得る。マウス操作が第1のアプリケーションウィンドウ441内に含まれる場合、端末110は、マウス操作の対象が現在フォーカスされているアプリケーションウィンドウであると判定することができる。そうでない場合、端末110は、マウス操作の対象が現在フォーカスされているアプリケーションウィンドウではないと判定することができる。
【０１４７】
マウス操作の対象が現在フォーカスされているアプリケーションウィンドウではない場合、端末110は、マウス操作に対応する特定のアプリケーションウィンドウをさらに判定することができる。例えば、外部表示装置120上の第2の位置Q（x', y'）および第2のアプリケーションウィンドウ442の表示位置に基づいて、端末110は、マウス操作の対象が外部表示装置120により表示された第2のアプリケーションウィンドウ442であると判定することができる。
【０１４８】
第2のアプリケーションウィンドウ442はフォーカスされたアプリケーションウィンドウではないため、この場合、ユーザは第2のアプリケーションウィンドウ442上で操作を実行できない。したがって、マウス操作に対応する特定のアプリケーションウィンドウを判定した後、端末110は、現在フォーカスされているアプリケーションウィンドウを第1のアプリケーションウィンドウ441から第2のアプリケーションウィンドウ442に切り替えることができる。
【０１４９】
この場合、図46に示されるように、ユーザは、端末110のタッチパッド画面1101を使用することにより、第2の位置Q（x', y'）でクリック操作を実行するために、外部表示装置120のカーソル400を制御する。第2の位置Q（x', y'）が含まれる第2のアプリケーションウィンドウ442は現在フォーカスされているアプリケーションウィンドウではないため、端末110は、「Mail」アプリケーションの第2のアプリケーションウィンドウ442のレイヤを「Music」アプリケーションの第1のアプリケーションウィンドウ441の上に描画し、描画後に得られた表示データを外部表示装置120に送信する。外部表示装置120は、フォーカスされたアプリケーションウィンドウが第2のアプリケーションウィンドウ442に切り替えられた後に取得されたデスクトップを外部表示装置120の表示画面に表示する。
【０１５０】
カーソル400の描画されたレイヤは、カーソル400が様々なアプリケーションウィンドウによってブロックされず、ユーザがカーソルの位置を操作できることと確保するために、外部表示装置120上のすべてのレイヤの一番上に配置され得ることに留意されたい。
【０１５１】
具体的には、端末110は、外部表示装置120で実行されている各アプリケーションに対してアプリケーションスタックを作成することができる。端末110が、フォーカスされたアプリケーションウィンドウを新しいアプリケーションのウィンドウに切り替えると、ターゲットトークンがアプリケーションのアプリケーションスタックに割り当てられ得る。換言すれば、ターゲットトークンを持つアプリケーションスタックに対応するアプリケーションウィンドウは、現在フォーカスされているアプリケーションウィンドウである。
【０１５２】
図47に示されるように、「Music」アプリケーションのアプリケーションスタックはスタック1であり、「Mail」アプリケーションのアプリケーションスタックはスタック2である。スタック1はターゲットトークンを含む、すなわち、現在フォーカスされているアプリケーションウィンドウは、「Music」アプリケーションの第1のアプリケーションウィンドウ441である。ユーザが「Mail」アプリケーションの第2のアプリケーションウィンドウ442においてクリックするためにカーソル400を制御すると、端末はターゲットトークンをスタック1からスタック2に移動し、スタック2の「Mail」アプリケーションの表示データを外部表示装置120に送信し、「Music」アプリケーションの第1のアプリケーションウィンドウ441の上に「Mail」アプリケーションの第2のアプリケーションウィンドウ442のレイヤを表示するように外部表示装置120に命令する。
【０１５３】
端末110が現在フォーカスされているアプリケーションウィンドウを第1のアプリケーションウィンドウ441から第2のアプリケーションウィンドウ442に切り替えた後、ユーザは、端末110のタッチパッド画面1101上で、第2のアプリケーションウィンドウ442上でのクリックまたはダブルクリックなどのマウス操作を実行するために、外部表示装置120上のカーソル400を制御し続けることができる。例えば、端末110が現在フォーカスされているアプリケーションウィンドウを「Mail」アプリケーションの第2のアプリケーションウィンドウ442に切り替えた後、ユーザは、第2のアプリケーションウィンドウ442の「受信箱」ボタン上でのクリック操作を実行するために、端末110のタッチパッド画面1101上でカーソル400を制御することができる。クリック操作に応じて、メールを受信するために「Mail」アプリケーションをトリガする間に、端末110は、メールを受信する表示された画面を描画し、表示されたインターフェースを、表示するために外部表示装置120に送信することができる。
【０１５４】
加えて、タッチパッド画面1101上でユーザによってトリガされたマウス操作の対象が現在フォーカスされているアプリケーションウィンドウ、例えば第1のアプリケーションウィンドウ441である場合、端末110は、現在フォーカスされているアプリケーションウィンドウを切り替える必要はなく、現在の第1のアプリケーションウィンドウ441においてマウス操作に対応する命令を実行することができる。
【０１５５】
本出願のいくつかの他の実施形態では、端末110はまた、外部デバイス（すなわち、マウスおよび／またはキーボード）に接続されてもよい。図48に示されるように、端末110は、Bluetoothを使用することにより、Bluetoothマウス150およびBluetoothキーボード140にワイヤレスで接続されてもよい。この場合、ユーザは、現在フォーカスされているアプリケーションウィンドウを変更するために端末110の表示された画面と外部表示装置120の表示された画面とを切り替えるために、Bluetoothマウス150を使用することによりカーソル400を制御することができる。
【０１５６】
図44から図47とは異なり、この場合のフォーカスされたアプリケーションウィンドウは、外部表示装置120上の任意の1つのアプリケーションウィンドウであってもよいし、端末110上の任意の1つのアプリケーションウィンドウであってもよい。
【０１５７】
図49Aおよび図49Bに示されるように、端末110が外部表示装置120に接続されると、端末110は、端末110の表示された画面と外部表示装置120の表示された画面とを区別するために2つの表示識別情報（display ID）を使用することができる。display ID0は、端末110の表示された画面を示すために使用され、display ID1は、外部表示装置120の表示された画面を示すために使用される。現在の端末110によって表示されている「デスクトップ」のアプリケーションスタック1は、display ID0に設定され、外部表示装置120によって表示されている「Mail」アプリケーションおよび「Music」アプリケーションの2つのアプリケーションスタック（アプリケーションスタック2およびアプリケーションスタック3）は、display ID1に設定される。ユーザが、端末110のデスクトップをタップするために、Bluetoothマウス150を使用することによりカーソル400を制御すると、端末110は、ターゲットトークンをアプリケーションスタック1に割り当て、その結果、端末110はフォーカスされたアプリケーションウィンドウを端末110に表示されるデスクトップウィンドウに切り替える。
【０１５８】
図50Aおよび図50Bに示されるように、本出願の他のいくつかの実施形態では、端末110は、複数の外部表示装置120にさらに接続され、複数の外部表示装置120で端末110の1つまたは複数のアプリケーションを実行および表示し得る。上述の実施形態と同様に、図50Aおよび図50Bに示されるように、端末110は、タッチパッド画面1101を表示するためのタッチパッドとして依然として使用されてもよく、その結果、ユーザは、複数の外部表示装置120の表示された画面間で切り替えるために、タッチパッド画面1101上でカーソル400を制御し、「仮想キーボード」アイコン1103を使用することにより、テキストまたは記号などの情報を対応するアプリケーションウィンドウに入力することができる。
【０１５９】
本発明の一実施形態は、表示方法を提供する。図17に示されるように、表示方法はS1701からS1703を含み得る。
【０１６０】
S1701：端末は外部表示装置に接続される。
【０１６１】
端末が外部表示装置に接続される方式については、上記実施の形態で説明した接続方式、および図1から図5のいずれか1つに示される接続方式を参照されたい。本発明の本実施形態では詳細は繰り返さない。加えて、端末が外部表示装置に接続された後に端末および外部表示装置によって表示されるようこそ画面については、上述の実施形態の詳細な説明を参照されたい。本発明の本実施形態では詳細は繰り返さない。
【０１６２】
S1702：端末は、第1の画面を表示し、第1のアプリケーションを含むが第2のアプリケーションを含まない第1のデスクトップを表示するように外部表示装置に命令し、第1の画面が第1のデスクトップとは異なる。
【０１６３】
本発明の本実施形態の第1のアプリケーションシナリオでは、端末によって表示される第1の画面は第1のアプリケーションを含むが、第2のアプリケーションは含まない。具体的には、S1702において、端末によって第1の画面を表示するための方法は、S1702aを含み得る。
【０１６４】
S1702a：端末は、第1のアプリケーションを含むが第2のアプリケーションを含まない第1の画面を表示する。
【０１６５】
例えば、図18に示されるように、端末110が「Video（ビデオ）」アプリケーション、「Reading」アプリケーション、「QQ」アプリケーション、および「Music」アプリケーションを含む「投射されたアプリケーション画面」1802（すなわち、第1の画面）を表示する場合、端末は、同じアプリケーション（すなわち、「Video」アプリケーション、「Reading」アプリケーション、「QQ」アプリケーション、および「Music」アプリケーション）を含む第1のデスクトップ1803を表示するように外部表示装置120に命令することができる。図18に示されるように、「投射されたアプリケーション画面」1802上の「Video」アプリケーション、「Reading」アプリケーション、「QQ」アプリケーション、および「Music」アプリケーションは、端末の表示された画面1801上のいくつかのアプリケーションである。
【０１６６】
本発明の本実施形態の第2のアプリケーションシナリオでは、端末によって表示される第1の画面は、選択状態にある第1のアプリケーションおよび非選択状態にある第2のアプリケーションを含む第1の画面を含む。具体的には、S1702において、端末によって第1の画面を表示するための方法は、S1702bを含み得る。
【０１６７】
S1702b：端末は、選択状態にある第1のアプリケーションおよび非選択状態にある第2のアプリケーションを含む第1の画面を表示する。
【０１６８】
例えば、図19に示されるように、端末は「投射されたアプリケーション画面」1901（すなわち、第1の画面）を表示することができ、「投射されたアプリケーション画面」1901は、選択状態にある「Video」アプリケーション、「Reading」アプリケーション、「QQ」アプリケーション、および「Music」アプリケーション（すなわち、第1のアプリケーション）と、非選択状態にある「WeChat」アプリケーション、「Mail」アプリケーション、および「設定」アプリケーション（すなわち、第2のアプリケーション）と、を含む。加えて、図19に示されるように、端末は、同じアプリケーション（すなわち、「Video」アプリケーション、「Reading」アプリケーション、「QQ」アプリケーション、および「Music」アプリケーション）を含む第1のデスクトップ1803を表示するように外部表示装置120に命令することができる。
【０１６９】
図19では、あるアプリケーションのアイコンが、そのアプリケーションが非選択状態にあることを指示するために網掛けされている。当然のことながら、本発明の本実施形態では、選択状態のアプリケーションと非選択状態のアプリケーションとを識別する方式は網掛け方式を含むが、これに限定されない。例えば、図20に示されるように、端末は、代替的に、アプリケーションが選択状態にあることを指示するために、選択状態にあるアプリケーションにチェックマークを入れてもよい。
【０１７０】
場合により、本発明の本実施形態では、第1の画面を表示するとき、端末は、選択状態の第1のアプリケーションおよび非選択状態の第2のアプリケーションを含む第1のデスクトップを表示するように外部表示装置にさらに命令することができる。例えば、図21に示されるように、端末は、選択状態にある「Video」アプリケーション、「Reading」アプリケーション、「QQ」アプリケーション、および「Music」アプリケーション（すなわち、第1のアプリケーション）と、非選択状態にある「WeChat」アプリケーション、「Mail」アプリケーション、および「設定」アプリケーション（すなわち、第2のアプリケーション）と、を含む第1のデスクトップ2101を表示するように外部表示装置に命令することができる。
【０１７１】
場合により、本発明の本実施形態では、端末は、第1のアプリケーションを含むが第2のアプリケーションを含まない第1のデスクトップを表示するように外部表示装置に命令し、第1のデスクトップは外部表示装置が表示すべきデスクトップである。第1のデスクトップは、別の画面によって部分的または完全にブロックされている場合がある。第1のデスクトップは第1のアプリケーションを含むが、第1のデスクトップが完全に表示されると、第2のアプリケーションを含まない。第1のデスクトップが第1の画面と異なることは、2つの画面が、異なる数の含まれるアプリケーション、異なるアプリケーション、異なるレイアウト、または他の違いを有することを特に含む。
【０１７２】
S1703：第1の画面でのユーザの第1の入力に応じて、端末は、第1のアプリケーションおよび第2のアプリケーションを含む第2の画面を端末に表示し、第1のアプリケーションおよび第2のアプリケーションを含む第2のデスクトップを表示するように外部表示装置に命令する。
【０１７３】
図18を例として使用すると、図22に示されるように、ユーザが指を用いることにより「WeChat」アプリケーションのアイコンを端末画面1801から「投射されたアプリケーション画面」1802にドラッグすると、端末は、「Video」アプリケーション、「Reading」アプリケーション、「QQ」アプリケーション、および「Music」アプリケーション（すなわち、第1のアプリケーション）、ならびに「WeChat」アプリケーション（すなわち、第2のアプリケーション）を含む、図23に示される「投射されたアプリケーション画面」2301（すなわち、第2の画面）を表示することができ、「Video」アプリケーション、「Reading」アプリケーション、「QQ」アプリケーション、および「Music」アプリケーション（すなわち、第1のアプリケーション）、ならびに「WeChat」アプリケーション（すなわち、第2のアプリケーション）を含む、図23に示される第2のデスクトップ2302を表示するように外部表示装置120に命令することができる。
【０１７４】
図19を例として使用すると、ユーザが指を使用することにより図19に示される「投射されたアプリケーション画面」1901で「設定」アプリケーションをタップした後、端末は、選択状態にある「Video」アプリケーション、「Reading」アプリケーション、「QQ」アプリケーション、および「Music」アプリケーション（すなわち、第1のアプリケーション）、ならびに「設定」アプリケーション（すなわち、第2のアプリケーション）と、非選択状態にある「Mail」アプリケーションおよび「WeChat」アプリケーションと、を含む、図24に示される「投射されたアプリケーション画面」2401（すなわち、第2の画面）を表示することができ、選択状態にある「Video」アプリケーション、「Reading」アプリケーション、「QQ」アプリケーション、および「Music」アプリケーション（すなわち、第1のアプリケーション）、ならびに「設定」アプリケーション（すなわち、第2のアプリケーション）と、非選択状態にある「Mail」アプリケーションおよび「WeChat」アプリケーションと、を含む、図24に示される第2のデスクトップ2402を表示するように外部表示装置120に命令することができる。
【０１７５】
図21を例として使用すると、ユーザが指を使用することにより図21に示される「投射されたアプリケーション画面」2001で「設定」アプリケーションをタップした後、端末は、選択状態にある「Video」アプリケーション、「Reading」アプリケーション、「QQ」アプリケーション、および「Music」アプリケーション（すなわち、第1のアプリケーション）、ならびに「設定」アプリケーション（すなわち、第2のアプリケーション）と、非選択状態にある「Mail」アプリケーションおよび「WeChat」アプリケーションと、を含む、図25に示される「投射されたアプリケーション画面」2601（すなわち、第2の画面）を表示することができ、選択状態にある「Video」アプリケーション、「Reading」アプリケーション、「QQ」アプリケーション、および「Music」アプリケーション（すなわち、第1のアプリケーション）、ならびに「設定」アプリケーション（すなわち、第2のアプリケーション）と、非選択状態にある「Mail」アプリケーションおよび「WeChat」アプリケーションと、を含む、図25に示される第2のデスクトップ2602を表示するように外部表示装置120に命令することができる。
【０１７６】
端末が第1の画面上で第1の入力を受信した後、端末によって表示される第2の画面に含まれるアプリケーションは、第2のデスクトップに含まれるアプリケーションと同じまたは異なる。例えば、図18、図21、図22、図23、または図25に示されるように、端末110によって表示される第2の画面に含まれるアプリケーションは、外部表示装置120によって表示される第2のデスクトップに含まれるアプリケーションと同じであり、図19、図20、または図24に示されるように、端末110によって表示される第2の画面に含まれるアプリケーションは、外部表示装置120によって表示される第2のデスクトップに含まれるアプリケーションとは異なる。
【０１７７】
例えば、ユーザが指を使用することにより外部表示装置120によって表示される「音楽再生画面」1804上で、図22に示される「画面最大化」ボタン1805をタップすると、端末は、図26に示される「音楽再生画面」2601を表示するように外部表示装置120に命令することができる。図22に示されるように、外部表示装置120の表示されたデスクトップ1803は、「Reading」アプリケーション、「Music」アプリケーション、「QQ」アプリケーション、および「Video」アプリケーションを含むことに留意されたい。
【０１７８】
別の例として、ユーザが図22に示される外部表示装置120によって表示される「音楽再生画面」1804上の「画面最小化」ボタン600をタップすると、端末は「Music」アプリケーションをバックグラウンドに切り替え得る。この場合、図51に示されるように、端末は、「音楽再生画面」を最小化し、ツールバーウィンドウに「Music」アプリケーションのアイコン601のみを保持するように外部表示装置120に命令することができる。
【０１７９】
加えて、外部表示装置120においてアプリケーションが最小化された後、端末はそのアプリケーションの実行を一時停止することができる。例えば、「音楽再生画面」を最小化するように外部表示装置120に命令した後、端末は、再生中の音楽の再生を停止するように外部表示装置120に命令することができる。
【０１８０】
本出願の本実施形態では、外部表示装置120に表示されるアプリケーションウィンドウを最大化する、最小化する、および閉じるという3つの表示モードに加えて、端末は、外部表示装置120に表示される各アプリケーションウィンドウに対して別の3つの表示モード、すなわち、全画面モード、縦長モード、および横長モードを設定する。
【０１８１】
例えば、図52に示されるように、外部表示装置120によって表示されるツールバーは、表示されている少なくとも1つのアプリケーションウィンドウのアイコン601を含み、ユーザが「Music」アプリケーションのアイコン601上でマウスの右クリック操作を実行すると、最大化702、閉じる703、全画面表示704、縦長表示705、および横長表示706などの複数の表示モードがユーザに表示され得る。
【０１８２】
ユーザが全画面表示704を選択すると、端末は「Music」アプリケーションの事前に格納された全画面表示リソースを検索し、全画面表示リソースもまたアプリケーションスタックの形態で端末のdisplay ID1に対応するキューの先頭に切り替えられ得る。外部表示装置120は、キューの先頭にあるアプリケーションスタックを常に読み取る。したがって、図53に示されるように、外部表示装置120は、全画面レイアウトで「Music」アプリケーションのアプリケーションウィンドウ531を呼び出し、アプリケーションウィンドウ531は表示画面全体に表示される。この場合、外部表示装置120に表示される別のアプリケーションウィンドウがバックグラウンドに切り替えられる。
【０１８３】
同様に、端末は、縦長表示705の様々なアプリケーションの横長表示リソースおよび横長表示706の様々なアプリケーションの縦長表示リソースを事前に格納し得る。このようにして、ユーザが横長表示（または縦長表示）モードをトリガすると、端末は縦長表示（または横長表示）リソースを含むアプリケーションスタックをdisplay ID1に対応するキューの先頭に切り替えることができる。この場合、図54に示されるように、外部表示装置120は、「Music」アプリケーションのアプリケーションウィンドウ540を横長レイアウトで表示するためにデスクトップに縦長表示（または横長表示）リソースをロードする。
【０１８４】
場合により、外部表示装置120に表示されるアプリケーションウィンドウについて、端末はアプリケーションウィンドウの縦長表示リソースのデフォルト値を次のように設定することができる、すなわち、アスペクト比が9：16、デフォルト幅が360dp、およびデフォルト高さが画面の80％であると設定することができる。端末はアプリケーションウィンドウの横長表示リソースのデフォルト値を次のように設定することができる、すなわち、アスペクト比が16：9、デフォルト幅が550dp、およびデフォルト高さが画面の60％であると設定することができる。
【０１８５】
加えて、本出願の本実施形態では、端末は、表示装置120上で実行される各アプリケーションのアプリケーションスタックを設定することができ、アプリケーションスタックの属性（アプリケーションスタックのサイズおよびアプリケーションスタックによってサポートされる解像度など）が、様々な表示モードの表示リソースに適合するために、ユーザによって選択された表示モードに基づいて調整され得る。表示装置120がキューの先頭のアプリケーションスタックを読み取るたびに、異なる表示モードのアプリケーションウィンドウの画像が表示装置120のデスクトップにロードされる。
【０１８６】
当然のことながら、ユーザが表示装置120上の特定のアプリケーションウィンドウのサイズまたは位置などの構成情報を手動で調整する場合、端末は、調整操作に応じてアプリケーションウィンドウのユーザ調整構成情報を記録し得る。このようにして、アプリケーションウィンドウの次回の表示時に、アプリケーションウィンドウの記録されたユーザ調整構成情報に基づいて、アプリケーションウィンドウの特定の以前の表示モードが表示装置120に復元されて、ユーザにより良い使用体験を提供し得る。
【０１８７】
図26に示されるように、ユーザが指を用いることにより「WeChat」アプリケーションのアイコンを端末画面1801から「投射されたアプリケーション画面」2201にドラッグすると、端末は、「Video」アプリケーション、「Reading」アプリケーション、「QQ」アプリケーション、および「Music」アプリケーション（すなわち、第1のアプリケーション）、ならびに「WeChat」アプリケーション（すなわち、第2のアプリケーション）を含む、図23に示される「投射されたアプリケーション画面」2301（すなわち、第2の画面）を表示することができ、「Video」アプリケーション、「Reading」アプリケーション、「QQ」アプリケーション、および「Music」アプリケーション（すなわち、第1のアプリケーション）、ならびに「WeChat」アプリケーション（すなわち、第2のアプリケーション）を含む、図23に示される第2のデスクトップ2302を表示するように外部表示装置120に命令することができる。図27に示されるように、外部表示装置120は「音楽再生画面」2601を現在表示しており、外部表示装置120のデスクトップに表示されているアプリケーションの変化は見ることができない。しかしながら、ユーザが指を使用することにより図27に示される「画面復元ボタン」をタップすると、端末は図23に示される第2のデスクトップを表示するように外部表示装置120に命令することができる。「Reading」アプリケーション、「Music」アプリケーション、「QQ」アプリケーション、および「Video」アプリケーション（すなわち、第1のアプリケーション）を含む図22に示される第1のデスクトップ1803と比較すると、図23に示される第2のデスクトップ2302は、「WeChat」アプリケーション（つまり、第2のアプリケーション）をさらに含む。
【０１８８】
本発明の本実施形態で提供される表示方法によれば、第1の画面上でのユーザの第1の入力に応じて、端末は外部表示装置の表示された画面を「第1のアプリケーションおよび第2のアプリケーションを含む第1のデスクトップ」から「第1のアプリケーションを含むが第2のアプリケーションを含まない第2のデスクトップ」に切り替えるように命令し得る。換言すれば、本出願では、端末は、外部表示装置によって表示されるデスクトップ（第1のデスクトップ）の内容に関連する表示された画面（第1の画面）を表示でき、端末は、関連する表示された画面（第1の画面）上での入力に応じて、外部表示装置のデスクトップに表示される内容を対応して切り替えることができる。例えば、外部表示装置が端末内のデータを使用する許可を制御するために、外部表示装置のデスクトップ上のアプリケーションが削除される。
【０１８９】
本発明の一実施形態は、表示方法をさらに提供する。図28に示されるように、表示方法はS2801からS2803を含み得る。
【０１９０】
S2801：端末が外部表示装置に接続される。
【０１９１】
S2802：端末は、第1のアプリケーションおよび第2のアプリケーションを含む第1の画面を表示し、端末は、第1のアプリケーションおよび第2のアプリケーションを含む第1のデスクトップを表示するように外部表示装置に命令し、第1の画面が第1のデスクトップとは異なる。
【０１９２】
例えば、端末は、「Video」アプリケーション、「Reading」アプリケーション、「QQ」アプリケーション、および「Music」アプリケーション（すなわち、第1のアプリケーション）、ならびに「WeChat」アプリケーション（すなわち、第2のアプリケーション）を含む、図23に示される「投射されたアプリケーション画面」2301（すなわち、第1の画面）を表示することができ、「Video」アプリケーション、「Reading」アプリケーション、「QQ」アプリケーション、および「Music」アプリケーション（すなわち、第1のアプリケーション）、ならびに「WeChat」アプリケーション（すなわち、第2のアプリケーション）を含む、図23に示される第1のデスクトップ2302を表示するように外部表示装置120に命令することができる。
【０１９３】
S2803：第1の画面上でのユーザの第1の入力に応じて、端末は、第1のアプリケーションを含むが第2のアプリケーションを含まない第2のデスクトップを表示するように外部表示装置に命令する。
【０１９４】
さらに、S2802の後、本発明の本実施形態における方法は、S2804aまたはS2804bをさらに含み得る。
【０１９５】
S2804a：第1の画面上でのユーザの第1の入力に応じて、端末は、第1のアプリケーションを含むが第2のアプリケーションを含まない第2の画面を表示する。
【０１９６】
図23を例として使用すると、ユーザが指を使用することにより図23に示される「Music」アプリケーションのアイコンをタップまたはタッチしてホールドすると、端末は図29Aに示される「投射されたアプリケーション画面」2901を表示することができ、ユーザが図29Cに示される「投射されたアプリケーション画面」2901の「Music」アプリケーションの右隅にある「×」アイコンをタップすると、端末110は図30に示される「投射されたアプリケーション画面」3001（すなわち、第2の画面）を表示し、図30に示される第2のデスクトップ3002を表示するように外部表示装置120に命令することができる。図29Aまたは図29Cに示される「投射されたアプリケーション画面」2901（第1の画面）と比較すると、図30に示される「投射されたアプリケーション画面」3001は「Music」アプリケーションを含まず、図29Bに示される第1のデスクトップ2902と比較して、図30に示される第2のデスクトップ3002は、「Music」アプリケーションを含まないことに留意されたい。
【０１９７】
S2804b：第1の画面上でのユーザの第1の入力に応じて、端末は、選択状態にある第1のアプリケーションおよび非選択状態にある第2のアプリケーションを含む第2の画面を表示し、第1の画面上の第1のアプリケーションおよび第2のアプリケーションの両方が選択状態にある。
【０１９８】
ユーザが指を使用することにより図23に示される「Music」アプリケーションのアイコンをタップまたはタッチしてホールドすると、端末はまた、「Music」アプリケーションが非選択状態にあることを指示するために図24に示される網掛け方式を使用し得る、または、端末は、「Music」アプリケーションが非選択状態にあることを指示するために図25に示される選択解除方式を使用し得る。加えて、端末は、第1のアプリケーションを含むが第2のアプリケーションを含まない第2の画面を表示するように外部表示装置に命令し得る。
【０１９９】
場合により、端末は、選択状態にある第1のアプリケーションおよび非選択状態にある第2のアプリケーションを含む第2の画面を表示するように外部表示装置にさらに命令することができる。外部表示装置による、選択状態にある第1のアプリケーションおよび非選択状態にある第2のアプリケーションを含む第2の画面を表示する具体的な方法については、図25の関連説明を参照されたい。本発明の本実施形態では詳細は繰り返さない。
【０２００】
本発明の本実施形態で提供される表示方法では、端末は、第1の画面上でのユーザの第1の入力に応じて、第1のアプリケーションおよび第2のアプリケーションを含む第2の画面を端末に表示し、外部表示装置の表示された画面を「第1のアプリケーションを含むが第2のアプリケーションを含まない第1のデスクトップ」から「第1のアプリケーションおよび第2のアプリケーションを含む第2のデスクトップ」に切り替えるように命令し得る。換言すれば、本出願では、端末は、外部表示装置によって表示されるデスクトップ（第1のデスクトップ）の内容に関連する表示された画面（第1の画面）を表示でき、端末は、関連する表示された画面（第1の画面）上での入力に応じて、外部表示装置のデスクトップに表示される内容を対応して切り替えることができる。例えば、端末内のアプリケーションが外部表示装置のデスクトップに追加され、その結果、追加されたアプリケーションもまた外部表示装置を使用することにより使用され得る。
【０２０１】
本発明の一実施形態は、表示方法を提供する。図31に示されるように、表示方法はS3101からS3103を含み得る。
【０２０２】
S3101：端末が外部表示装置に接続される。
【０２０３】
端末が外部表示装置に接続される方式については、上記実施の形態で説明した接続方式、および図1から図5のいずれか1つに示される接続方式を参照されたい。本発明の本実施形態では詳細は繰り返さない。加えて、端末が外部表示装置に接続された後に端末および外部表示装置によって表示されるようこそ画面については、上述の実施形態の詳細な説明を参照されたい。本発明の本実施形態では詳細は繰り返さない。
【０２０４】
S3102：端末は、第1の画面を表示するように外部表示装置に命令する。
【０２０５】
S3103：端末は、動作可能な機能項目を表示し、動作可能な機能項目が第1の画面の表示内容に関連し、第1の画面の表示内容を制御するために使用される。
【０２０６】
外部表示装置に第1のデスクトップを表示するとき、端末は、第1のデスクトップの表示内容に関連する動作可能な機能項目を端末の表示画面に表示することができ、その結果、ユーザが動作可能な機能項目を使用することにより第1のデスクトップにより表示される内容を操作できる。
【０２０７】
例えば、図32に示されるように、端末が図32に示される「設定画面」3201を現在表示していると仮定される。端末110が「音楽再生画面」3202（すなわち第1のデスクトップ）を表示するように外部表示装置120に命令すると、端末は図32に示される「音声調整ウィンドウ」3203を表示し得る。ユーザは、「外部表示装置により表示された「音楽再生画面」3202で再生される音楽を切り替える」および端末に表示された「音声調整ウィンドウ」3203で「再生音量を調整する」などの操作を実行することができる。
【０２０８】
本発明の本実施形態で提供される表示方法によれば、端末および外部表示装置が互いに独立しており、異なる内容を表示することができ、端末もまた外部表示装置によって表示される内容に関連する動作可能な機能項目を表示することができ、その結果、ユーザが、動作可能な機能項目を使用することにより、外部表示装置によって現在表示されている内容を制御することができる。
【０２０９】
この解決策では、端末の表示画面が外部表示装置のタッチパッドとして使用されない場合でも、端末は、「外部表示装置によって表示される内容に関連する動作可能な機能項目を表示する」方式で、外部表示装置の表示内容を制御するためのインターフェース（すなわち、動作可能な機能項目）をユーザに提供でき、その結果、ユーザが、動作可能な機能項目を使用することにより、外部表示装置によって現在表示されている内容を制御することができる。
【０２１０】
本発明の本実施形態では、端末は、図7、図12、図17、または図28に示される方法に基づいてS3102およびS3103を実行することができることに留意されたい。
【０２１１】
さらに、外部表示装置に第1のデスクトップを表示する（すなわち、S3102を実行する）場合、端末は端末の表示画面に第1の画面を表示することもできる。具体的には、本発明の本実施形態における方法は、S3104をさらに含むことができ、上述のS3103は、S3103'に置き換えられ得る。
【０２１２】
S3104：端末は、端末の表示画面上に第1の画面を表示し、第2の画面が、機能項目ドロップダウン通知バーまたは機能項目一時停止ウィンドウと、端末の表示画面上での第1の入力に応じて端末によって表示された第1の表示内容とを含む。
【０２１３】
例えば、第1の画面が機能項目ドロップダウン通知バーを含むときに、外部表示装置が図32に示される「音楽再生画面」3202（すなわち、第1のデスクトップ）を現在表示している場合、端末は、「WeChatチャット画面」3302および「機能項目ドロップダウン通知バー」3301を含む図33に示される第1の画面を表示し得る。
【０２１４】
S3103'：端末は、端末の表示画面上での機能項目ドロップダウン通知バーまたは機能項目一時停止ウィンドウに対する第2の入力に応じて、動作可能な機能項目を端末の表示画面上に表示する。
【０２１５】
ユーザが指を使用することにより図33に示される「機能項目ドロップダウン通知バー」3301をタップすると、端末は「音声調整ウィンドウ」を端末に表示し得る。ユーザは、「外部表示装置により表示された「音楽再生画面」で再生される音楽を切り替える」または端末に表示された「音声調整ウィンドウ」で「再生音量を調整する」などの操作を実行することができる。
【０２１６】
本発明の本実施形態では、端末は、端末のドロップダウン通知バー（すなわち、機能項目通知バー）上で、外部表示装置によって表示される内容に関連する動作可能な機能項目を表示し得る。これにより、動作可能な機能項目が端末によって表示される第1の画面を覆うことを防ぐことができる。加えて、端末は、ユーザにより実行される機能項目通知バーに対するトリガ操作を受信することができ、外部表示装置によって表示される内容に関連する動作可能な機能項目を表示することができ、その結果、ユーザが、動作可能な機能項目を使用することにより、外部表示装置によって現在表示されている内容を制御することができる。
【０２１７】
外部表示装置と外部デバイス（キーボードおよび／またはマウス）との接続は図18から図27、図29、図30、図32、および図33では示されていないが、このことは、図18から図27、図29、図30、図32、および図33の方法が、外部表示装置が外部デバイスに接続されるアプリケーションシナリオに適用できないことを意味するものではないことに留意されたい。換言すれば、図18から図27、図29、図30、図32、および図33の方法は、外部表示装置が外部デバイスに接続されていないアプリケーションシナリオに適用され得るだけでなく、外部表示装置が外部デバイスに接続されているアプリケーションシナリオにも適用され得る。このことは、本発明の本実施形態において限定されない。
【０２１８】
さらに、S1702、S2802、S3103、またはS3103'の前に、本発明の本実施形態における方法は、端末により、端末が外部デバイスに接続されていると判定するステップであって、外部デバイスがキーボード／またはマウスを含む、ステップをさらに含み得る。
【０２１９】
さらに、端末が外部表示装置のタッチパッドとして使用される場合、すなわち端末が「タッチパッド画面」を表示する場合、端末は、外部表示装置の表示内容に関連する動作可能な機能項目も表示し得る。
【０２２０】
いくつかの実施形態では、端末が外部表示装置のタッチパッドとして使用される場合、上述の動作可能な機能項目はまた、端末の表示画面上の機能項目ドロップダウン通知バーに隠され得る。換言すれば、ユーザが指を使用することにより機能項目ドロップダウン通知バーをタップすると、端末は、「タッチパッド画面」に、「音声調整ウィンドウ」などの外部表示装置の表示内容に関連する動作可能な機能項目を表示することができる。
【０２２１】
いくつかの実施形態では、端末の表示画面が外部表示装置のタッチパッドとして使用される場合、端末の表示画面に表示される機能項目ドロップダウン通知バーは、機能項目一時停止ウィンドウに置き換えられてもよい。機能項目一時停止ウィンドウの詳細な説明については、本発明の上述の実施形態で説明したタッチ一時停止ボタンを参照されたい。本発明の本実施形態では詳細は繰り返さない。
【０２２２】
いくつかの実施形態では、端末は、タッチドロップダウン通知バーおよび機能項目ドロップダウン通知バーの両方を表示してもよい。例えば、図34に示されるように、端末はドロップダウン通知バー3391を表示してもよい。ユーザが指を使用することにより図34に示されるドロップダウン通知バー3391をタップすると、ドロップダウン通知バー3391は「機能項目ドロップダウン通知バー」3392および「タッチドロップダウン通知バー」3393を表示するために展開することができる。
【０２２３】
ユーザが指を使用することにより図34に示される「機能項目ドロップダウン通知バー」3392をタップすると、端末は図35に示される端末画面を端末の表示画面に表示し得る。図34に示される端末画面は、「音声調整ウィンドウ」3391（すなわち、動作可能な機能項目）および「タッチドロップダウン通知バー」3393を含む。
【０２２４】
ユーザが指を使用することにより図34または図35に示される「タッチドロップダウン通知バー」3393をタップすると、端末は図36に示される端末画面を端末の表示画面に表示し得る。図36に示される端末画面は、「タッチパッド画面」3601および「機能項目ドロップダウン通知バー」3392を含む。
【０２２５】
加えて、ユーザが指を使用することにより図36に示される「機能項目ドロップダウン通知バー」3392をタップすると、端末は図35に示される端末画面を端末の表示画面に表示し得る。図35に示される端末画面は、「音声調整ウィンドウ」3501（すなわち、動作可能な機能項目）および「タッチドロップダウン通知バー」3503を含む。
【０２２６】
いくつかの実施形態では、端末が外部表示装置に接続されると、端末は、プリセットデフォルト表示モード（すなわち、第1の表示モード）で外部表示装置に第1のデスクトップを表示し得る。第1の表示モードは、外部表示装置に適合された表示モード、例えば、外部表示装置が対応する内容を表示する表示モードであり、図1から図5、図8から図11、図13から図16、図18から図27、図29および図30、ならびに図31から図36のいずれか1つで示される表示モードであり得る。あるいは、第1の表示モードは、端末の表示画面に適合された表示モード、例えば、外部表示装置が対応する内容を表示する表示モードであり、図37に示される表示モードであり得る。
【０２２７】
それに対応して、「端末は、第1のデスクトップを表示するように外部表示装置に命令する」ことは、S3801で置き換えることができる。
【０２２８】
S3801：端末は、第1のデスクトップを第1の表示モードで表示するように外部表示装置に命令し、第1の表示モードは、プリセットデフォルト表示モードである。
【０２２９】
例えば、図37に示されるように、外部表示装置の表示された画面は「モード切り替えオプション」3701を含み得る。ユーザがマウスカーソルを使用することにより「モード切り替えオプション」3701をクリックすると、外部表示装置は、表示モードを切り替えるように、すなわち第1の表示モードから第2の表示モードまたは第2の表示モードから第1の表示モードに切り替えるように制御され得る。
【０２３０】
本発明の本実施形態の一実装形態では、S3801の後、本発明の本実施形態の方法は、S3802をさらに含むことができる。
【０２３１】
S3802：第1のデスクトップ上でのモード切り替えオプションに対する外部デバイスの第3の入力に応じて、端末は、第1のデスクトップを第2の表示モードで表示するように外部表示装置に命令する。
【０２３２】
本発明の本実施形態の一実装形態では、S1702またはS2901の後、本発明の本実施形態の方法は、S3802'をさらに含むことができる。
【０２３３】
S3802'：端末上でのユーザの第4の入力に応じて、端末は、第1のデスクトップを第2の表示モードで表示するように外部表示装置に命令する。
【０２３４】
例えば、図38に示されるように、端末のドロップダウン通知バー3801は、「モード切り替えオプション」3802を含み得る。「モード切り替えオプション」3802がタップされると、端末は、表示モードを切り替えるように、すなわち第1の表示モードから第2の表示モードまたは第2の表示モードから第1の表示モードに切り替えるように外部表示装置を制御し得る。
【０２３５】
場合により、第4の入力は、プリセットショートカットキーに対するユーザのタップ操作であってよく、ショートカットキーは、表示モードを切り替えるために外部表示装置を制御するために使用される。
【０２３６】
第1の表示モードが外部表示装置に適合された表示モードであり、図1から図5、図8から図11、図13から図16、図18から図27、図29および図30、ならびに図31から図36のいずれか1つに示される表示モードである場合、第2の表示モードは、端末の表示画面に適合された表示モードであり、図37に示される表示モードである、または第1の表示モードが端末の表示画面に適合された表示モードであり、図37に示される表示モードである場合、第2の表示モードは外部表示装置に適合された表示モードであり、図1から図5、図8から図11、図13から図16、図18から図27、図29および図30、ならびに図31から図36のいずれか1つに示される表示モードである。
【０２３７】
場合により、図39に示されるように、本発明の本実施形態における「タッチドロップダウンメニュー」3901、「機能項目ドロップダウンメニュー」3902、および「モード切り替えオプション」2902は、実装のために端末のドロップダウンメニュー2901に統合することができる。ユーザが指を使用することにより端末の表示画面の上部に沿って下にスライドする（つまり、指が図38Aに示されるスライディングトラック3803に沿ってスライドする）と、端末は図38Bに示されるドロップダウンメニュー3801を表示し得る。ドロップダウンメニュー3801は、「WLAN」、「Bluetooth」、および「モバイルネットワーク」などのオプションを含むことができるだけでなく、「タッチドロップダウンメニュー」3901、「機能項目ドロップダウンメニュー」3902、または「モード切り替えオプション」3802も含むことができる。
【０２３８】
ユーザが指を使用することにより図39に示される「タッチドロップダウンメニュー」3901、「機能項目ドロップダウンメニュー」3902、または「モード切り替えオプション」3802をタップしたときに端末の表示画面または外部表示装置により表示される内容については、本発明の本実施形態における上述の説明を参照されたい。本発明の本実施形態では詳細は繰り返さない。
【０２３９】
さらに、端末が外部表示装置に接続され、外部表示装置に表示内容を投射するときに、ユーザが端末または外部表示装置の制御／操作方式を理解するのを助けるために、端末は、端末が外部表示装置に接続されたときに投射ヘルプ画面を表示し得る。具体的には、本出願の方法は、S3901をさらに含み得る。
【０２４０】
S3901：端末が外部表示装置に接続されると、端末の表示画面は投射ヘルプ画面を表示し、投射ヘルプ画面が投射ヘルプ情報を含み、投射ヘルプ情報は、端末が外部表示装置に関連内容を表示できるようにするための制御方式を指示するために使用される。
【０２４１】
図4を例として使用すると、端末が外部表示装置に接続されると、端末の表示画面は、図4または図40Aに示される端末画面118を表示し得る。図4または図40Aに示される端末画面118は、「端末と外部表示装置との間の接続の図」115、ようこそおよび動作テキスト116、「スキップ」オプション113、および「次へ」114オプションを含み得る。
【０２４２】
ユーザが指を使用することにより図4または図40Aに示される「スキップ」オプション113をタップすると、端末の表示画面は、図8に示される端末画面を表示することができ、外部表示装置は図8に示される大画面ウィンドウを表示することができる。
【０２４３】
ユーザが指を使用することにより図40Aに示される「次へ」オプション114をタップすると、端末の表示画面は図40Bに示される端末画面4001を表示し得る。この場合、外部表示装置は図8に示される大画面ウィンドウを依然として表示してもよいし、外部表示装置は図40Bに示される端末画面4001の表示内容を第1の表示モードまたは第2の表示モードで表示してもよい。図40Bに示される端末画面4001は、「端末でシミュレートされたキーボードおよびマウスの図」4002、「シミュレートされたキーボードおよびマウスの使用説明情報」4003、「スキップ」オプション4004、および「次へ」オプション4005を含み得る。
【０２４４】
ユーザが指を使用することにより図40Bに示される「スキップ」オプション4004をタップすると、端末の表示画面は、図8に示される端末画面を表示することができ、外部表示装置は図8に示される大画面ウィンドウを表示することができる。
【０２４５】
ユーザが指を使用することにより図40Bに示される「次へ」オプション4005をタップすると、端末の表示画面は図40Cに示される端末画面4006を表示し得る。この場合、外部表示装置は図8に示される大画面ウィンドウを依然として表示してもよいし、外部表示装置は図40Cに示される端末画面4006の表示内容を第1の表示モードまたは第2の表示モードで表示してもよい。図40Cに示される端末画面4006は、「大画面表示モード切り替えの図」4007、「大画面切り替えの説明情報」4008、および「使用開始」オプション4009を含むことができる。
【０２４６】
ユーザが指を使用することにより図40Cに示される「使用開始」オプション4009をタップすると、端末の表示画面は、図8に示される端末画面を表示することができ、外部表示装置は図8に示される大画面ウィンドウを表示することができる。
【０２４７】
上記は、端末が端末の表示画面および外部表示装置を同じまたは異なる内容を表示するために制御するという観点から、本出願の実施形態で提供される解決策を説明している。上述の機能を実装するために、端末は機能を実行するための対応する機能モジュールを備えることが理解されよう。当業者であれば、本出願では、本明細書で開示した各実施形態に関連して説明した例における端末およびアルゴリズムステップは、ハードウェアまたはハードウェアとコンピュータソフトウェアとの組み合わせによって実施され得ることを容易に承知するはずである。機能がハードウェアで行われるかコンピュータソフトウェアによって駆動されるハードウェアで行われるかは、技術的解決策の具体的な応用形態および設計制約によって決まる。当業者は、それぞれの具体的な応用形態に対して説明された機能を実施するために、異なる方法を使用することができるが、こうした実施が、本出願の範囲を超えるものであると見なされるべきではない。
【０２４８】
本出願の実施形態は、上述の方法実施形態を実施する端末を提供する。具体的には、端末は上述の方法例に基づいて分割され得る。例えば、様々なモジュールまたはユニットが、対応する機能のために分割されてもよいし、2つ以上の機能が1つの処理モジュールに統合されてもよい。統合されたモジュールはハードウェアの形態で実施されてもよいし、ソフトウェア機能モジュールまたはユニットの形態で実施されてもよい。本出願の実施形態におけるモジュールまたはユニットの分割は一例であり、論理的な機能分割に過ぎない。実際の実装形態では、別の分割方式とすることもできる。
【０２４９】
図41は、上述の実施形態で使用される端末の可能な概略構成図である。図41に示されるように、端末4100は、接続モジュール4101と、表示モジュール4102と、命令モジュール4103と、受信モジュール4104と、を備え得る。
【０２５０】
一実施形態では、接続モジュール4101は、方法実施形態におけるS1701および／または本明細書で説明される技術で使用される他のプロセスをサポートするように構成される。表示モジュール4102は、方法実施形態における、S1702の端末が第1の画面を表示する動作、S1702a、S1702b、およびS1703、ならびにS3901の端末が端末により第2の画面を表示する動作、ならびに／または本明細書で説明される技術で使用される他のプロセスをサポートするように構成される。命令モジュール4103は、方法実施形態における、S1702の端末が第1のデスクトップを表示するように外部表示装置に命令する動作、S1703およびS3801の端末が第2のデスクトップを表示するように外部表示装置に命令する動作、ならびに／または本明細書で説明される技術で使用される他のプロセスをサポートするように構成される。受信モジュール4104は、方法実施形態における、S1703の端末が第1の入力を受信する動作、S3802の端末が第3の入力を受信する動作、およびS3802'の端末が第4の入力を受信する動作、ならびに／または本明細書で説明される技術で使用される他のプロセスをサポートするように構成される。
【０２５１】
別の実施形態では、接続モジュール4101は、方法実施形態におけるS2801および／または本明細書で説明される技術で使用される他のプロセスをサポートするように構成される。表示モジュール4102は、方法実施形態における、S2802の端末が第1の画面を表示する動作、S2804aおよびS2804bならびにS3901の端末が第2の画面を表示する動作、ならびに／または本明細書で説明される技術で使用される他のプロセスをサポートするように構成される。命令モジュール4103は、方法実施形態における、S2802の端末が第1のデスクトップを表示するように外部表示装置に命令する動作、S2803およびS3801の端末が第2のデスクトップを表示するように外部表示装置に命令する動作、ならびに／または本明細書で説明される技術で使用される他のプロセスをサポートするように構成される。受信モジュール4104は、方法実施形態における、S2803、S2804a、およびS2804bの端末が第1の入力を受信する動作、S3802の端末が第3の入力を受信する動作、およびS3802'の端末が第4の入力を受信する動作、ならびに／または本明細書で説明される技術で使用される他のプロセスをサポートするように構成される。
【０２５２】
別の実施形態では、接続モジュール4101は、方法実施形態におけるS3101および／または本明細書で説明される技術で使用される他のプロセスをサポートするように構成される。表示モジュール4102は、方法実施形態におけるS3103、S3104、およびS3901、ならびに／または本明細書で説明される技術で使用される他のプロセスをサポートするように構成される。命令モジュール4103は、方法実施形態におけるS3102およびS3801、ならびに／または本明細書で説明される技術で使用される他のプロセスをサポートするように構成される。受信モジュール4104は、方法実施形態における、S3103'の端末が第2の入力を受信する動作、S3802の端末が第3の入力を受信する動作、およびS3802'の端末が第4の入力を受信する動作、ならびに／または本明細書で説明される技術で使用される他のプロセスをサポートするように構成される。
【０２５３】
さらに、端末4100は判定モジュールをさらに備えることができる。判定モジュールは、端末が外部デバイスに接続されていること、または端末が外部デバイスに接続されていないことを判定するように構成される。
【０２５４】
さらに、端末4100は、ストレージモジュールをさらに備えることができる。ストレージモジュールは、事前構成された端末画面もしくは大画面ウィンドウなど、および／または本明細書で説明される技術で使用される他のプロセスを格納するように構成される。
【０２５５】
当然のことながら、端末4100は、上で記載されたユニットおよびモジュールを含むがこれらに限定されない。例えば、端末4100は、データまたは信号を別のデバイスに送信するように構成された送信モジュール、別のデバイスによって送信されたデータまたは信号を受信するように構成された受信モジュールなどをさらに備え得る。加えて、具体的に実装され得る上述のモジュールの機能はまた、上述の実施形態の方法のステップに対応する機能を含むが、これらに限定されない。端末4100の他のユニットおよび端末4100のユニットの詳細な説明については、対応する方法のステップの詳細な説明を参照されたい。本出願の本実施形態では詳細は繰り返さない。
【０２５６】
図42は、上述の実施形態で使用される端末の可能な概略構成図である。図42に示されるように、端末4200は、接続モジュール4201と、表示モジュール4202と、第1の受信モジュール4203と、命令モジュール4204と、第2の受信モジュール4205と、を備えることができる。
【０２５７】
接続モジュール4201は、方法実施形態におけるS701および／または本明細書で説明される技術で使用される他のプロセスをサポートするように構成される。表示モジュール4202は、方法実施形態における、S801およびS803の第2の画面を表示する動作、S901およびS804のタッチパッド画面を表示する動作、ならびに／または本明細書に記載の技術で使用される他のプロセスをサポートするように構成される。第1の受信モジュール4203は、方法実施形態におけるS802の「外部デバイスの第1の入力を受信する」動作、および／または本明細書に記載の技術で使用される他のプロセスをサポートするように構成される。命令モジュール4204は、方法実施形態における、S802の「第1の入力に応じて、外部表示装置に第2の画面を表示する」動作、S902の「第4の入力に応じて、外部表示装置に第4の画面を表示する」動作、S804の「第4の入力に応じて、第3の画面を表示するように外部表示装置に命令する」動作、およびS805の「タッチパッド画面に対する第4の入力に応じて、第4の画面を表示するように外部表示装置に命令する」動作、ならびに／または本明細書で説明される技術で使用される他のプロセスをサポートするように構成される。第2の受信モジュール4205は、方法実施形態における、S803の「第2の入力を受信する」動作、S902の「第4の入力を受信する」動作、S803の「第2の入力を受信する」動作、S804の「第4の入力を受信する」動作、およびS805の「第2の入力を受信する」動作、ならびに／または本明細書に記載の技術で使用される他のプロセスをサポートするように構成される。さらに、端末4200は判定モジュールをさらに備えることができる。判定モジュールは、方法実施形態におけるS702および／または本明細書で説明される技術で使用される他のプロセスをサポートするように構成される。
【０２５８】
統合ユニットが使用される場合、端末内の判定モジュールと命令モジュールとは、1つの処理ユニットに統合されてもよい。処理ユニットは、プロセッサまたはコントローラであり得る。例えば、処理ユニットは、CPU、グラフィック処理ユニット（Graphics Processing Unit、GPU）、汎用プロセッサ、デジタルシグナルプロセッサ（Digital Signal Processor、DSP）、特定用途向け集積回路（Application-Specific Integrated Circuit、ASIC）、フィールドプログラマブルゲートアレイ（Field Programmable Gate Array、FPGA）、もしくは別のプログラマブルロジックデバイス、トランジスタロジックデバイス、ハードウェアコンポーネント、またはこれらの任意の組み合わせであってもよい。プロセッサまたはコントローラは、本出願で開示された内容に関連して説明された様々な例示的な論理ブロック、モジュール、および回路を実装または実行することができる。あるいは、処理ユニットは、1つまたは複数のマイクロプロセッサの組み合わせなどの計算機能を実行する組み合わせであってもよいし、DSPとマイクロプロセッサとの組み合わせであってもよい。ストレージモジュールはメモリであってもよい。
【０２５９】
受信モジュール4104、第2の受信モジュール4205、および表示モジュール3205は、端末のタッチ画面であってもよい。具体的には、受信モジュール4104および第2の受信モジュール4205は、端末のタッチ画面のタッチパネルであってもよい。表示モジュール3205は、端末のタッチ画面の表示パネルであってもよい。第1の受信モジュール4203は、端末の通信インターフェースであってもよく、外部デバイスによって送信された命令を受信するように構成される。
【０２６０】
処理ユニットがプロセッサであり、ストレージモジュールがメモリである場合、本出願の実施形態における端末4100または4200は、図43に示される端末4300であってもよい。図43に示されるように、端末4300は、1つまたは複数のプロセッサ4301と、メモリ4302と、表示画面4303と、通信インターフェース4304と、を備える。1つまたは複数のプロセッサ4301、メモリ4302、表示画面4303、および通信インターフェース4304は、バス4305を使用することにより互いに接続される。通信インターフェース4304は、外部表示装置および外部デバイスに接続するように構成され、通信インターフェース4304は、ワイヤレスインターフェースまたは有線インターフェースであり得る。表示画面4303は、ユーザのタッチ入力を受信するように構成される。
【０２６１】
メモリ4302は、コンピュータプログラムコードを格納し、コンピュータプログラムコードは命令を含む、ように構成される。端末4300の1つまたは複数のプロセッサ4301が命令を実行すると、端末4300は、表示画面4303または外部表示装置に対応する内容を表示するために、上述の実施形態の表示方法を実施するために、図7または図12の関連方法のステップを実行する。表示画面4303はタッチ画面であってもよい。
【０２６２】
バス4305は、ペリフェラル・コンポーネント・インターコネクト（Peripheral Component Interconnect、PCI）バス、エクステンデッド・インダストリ・スタンダード・アーキテクチャ（Extended Industry Standard Architecture、EISA）バスなどとすることができる。バス4305は、アドレスバス、データバス、コントロールバスなどに分類され得る。表現を容易にするために、図43ではバスを表すために1本の太線のみが使用されているが、これは、1本のバスしかない、または1種類のバスしかないことを意味するものではない。
【０２６３】
本発明の一実施形態は、コンピュータ記憶媒体をさらに提供する。コンピュータ記憶媒体はコンピュータプログラムコードを含む。端末4300の1つまたは複数のプロセッサがコンピュータプログラムコードを実行すると、端末4300は、上述の実施形態の表示方法を実施するために、図7、図12、図17、および図20のいずれか1つの関連方法のステップを実行する。
【０２６４】
本発明の一実施形態は、コンピュータプログラム製品をさらに提供する。コンピュータプログラム製品がコンピュータ上で実行されると、コンピュータは、上述の実施形態の表示方法を実施するために、図7、図12、図17、および図20のいずれか1つの関連方法ステップを実行する。
【０２６５】
本発明の実施形態で提供される端末4100、端末4200、端末4300、コンピュータ記憶媒体、またはコンピュータプログラム製品は、上で提供された対応する方法を実行するように構成される。したがって、達成され得る有益な効果については、上で提供された対応する方法の有益な効果を参照されたく、本明細書では詳細を繰り返さない。
【０２６６】
実装方式に関する上述の説明により、説明を簡便にする目的で上記機能モジュールの分割が説明のための例として挙げられていることが当業者には理解されよう。実際の適用においては、上記各機能を、異なるモジュールに割り振り、要件に従って実装することができる、すなわち、装置の内部構造が上記の各機能の全部または一部を実装するための異なる機能モジュールに分割される。上記システム、装置、およびユニットの詳細な動作プロセスについては、上記方法実施形態における対応するプロセスを参照されたく、ここでは細部を繰り返さない。
【０２６７】
本出願において提供されるいくつかの実施形態においては、開示のシステム、装置、および方法を他のやり方で実装することもできることを理解されたい。例えば、説明された装置実施形態は単なる例に過ぎない。例えば、モジュールまたはユニットの分割は単なる論理的機能分割に過ぎず、実際の実装に際しては他の分割も可能である。例えば、複数のユニットもしくは構成要素が組み合わされ、または統合されて別のシステムになる場合もあり、いくつかの特徴が無視されたり実行されなかったりする場合もある。加えて、表示された、または論じられた相互結合または直接結合または通信接続を、いくつかのインターフェースを使用して実現することもできる。装置間またはユニット間の間接結合または通信接続は、電気的形態、機械的形態、または他の形態として実現することができる。
【０２６８】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０２６９】
加えて、本出願の実施形態における機能ユニットが1つの処理ユニットへ統合される場合もあり、ユニットのそれぞれが物理的に独立して存在する場合もあり、または2つ以上のユニットが1つのユニットへ統合される場合もある。統合ユニットはハードウェアの形態で実現することもでき、ソフトウェア機能ユニットの形態で実現することもできる。
【０２７０】
統合ユニットがソフトウェア機能ユニットの形態で実現され、独立した製品として販売または使用される場合、統合ユニットは、コンピュータ可読記憶媒体に記憶することができる。そうした理解に基づき、本出願の技術解決策を本質的に、または従来技術に寄与する部分を、または技術的解決策の全部または一部を、ソフトウェア製品の形態で実現することができる。ソフトウェア製品は記憶媒体に記憶されており、（パーソナルコンピュータ、サーバ、もしくはネットワーク装置などとすることができる）コンピュータデバイスまたはプロセッサに、本出願の各実施形態で記述されている方法のステップの全部または一部を実行するよう指示するためのいくつかの指示を含む。上記記憶媒体は、フラッシュメモリ、取り外し可能ハードディスク、読み取り専用メモリ、ランダムアクセスメモリ、磁気ディスク、光ディスクといった、プログラムコードを記憶することができる任意の媒体を含む。
【０２７１】
上記の説明は、単に本出願の具体的な実装形態に過ぎず、本出願の保護範囲を限定することを意図するものではない。本出願において開示されたあらゆる変形や置き換えは、本出願の保護範囲内に含まれるものとする。したがって、本出願の保護範囲は、特許請求の範囲の保護範囲に属する。
【符号の説明】
【０２７２】
110  端末、携帯電話
113  「スキップ」オプション
114  「次へ」オプション
116  ようこそおよび動作テキスト
117  大画面投射ようこそ画面
118  端末画面、大画面投射ようこそ画面
120  ディスプレイ、外部表示装置
121  「大画面投射へようこそ」プロンプト
122  Dockデバイス
123  カーソル
130  スイッチングデバイス
131  タッチパネル
140  キーボード
150  マウス
201  ワイヤレス接続
262  マイクロフォン
400  カーソル
441  第1のアプリケーションウィンドウ
442  第2のアプリケーションウィンドウ
531  アプリケーションウィンドウ
540  アプリケーションウィンドウ
600  「画面最小化」ボタン
601  アイコン
610  RF回路
620  メモリ
630  入力ユニット
631  タッチパネル
640  表示ユニット
641  表示パネル
650  センサ
651  周囲光センサ
652  光近接センサ
660  音声回路
661  ラウドスピーカ
662  マイクロフォン
670  Wi-Fiモジュール
680  プロセッサ
681  Bluetoothモジュール
690  電源
702  最大化
703  閉じる
704  全画面表示
705  縦長表示
706  横長表示
801  端末画面
802  「設定」オプション
803  大画面ウィンドウ
901  設定画面
902  「Music」オプション
1001  音楽再生画面
1101  タッチパッド画面
1102  大画面ウィンドウ
1103  「仮想キーボード」アイコン
1104  指
1301  タッチドロップダウン通知バー
1391  タッチ一時停止ボタン
1401  タッチ一時停止ボタン
1601  シミュレートされたキーボード
1602  受信箱
1801  端末画面
1802  投影されたアプリケーション画面
1803  第1のデスクトップ
1804  音楽再生画面
1805  「画面最大化」ボタン
1901  投影されたアプリケーション画面
2001  投影されたアプリケーション画面
2101  第1のデスクトップ
2201  投影されたアプリケーション画面
2301  投影されたアプリケーション画面
2302  第2のデスクトップ
2401  投影されたアプリケーション画面
2402  第2のデスクトップ
2601  音楽再生画面
2602  第2のデスクトップ
2901  投影されたアプリケーション画面、ドロップダウンメニュー
2902  第1のデスクトップ
3001  投射されたアプリケーション画面
3002  第2のデスクトップ
3201  設定画面
3203  音声調整ウィンドウ
3205  表示モジュール
3301  機能項目ドロップダウン通知バー
3302  WeChat画面
3391  ドロップダウン通知バー、音声調整ウィンドウ
3392  機能項目ドロップダウン通知バー
3393  音声調整ウィンドウ
3501  音声調整ウィンドウ
3503  タッチドロップダウン通知バー
3601  タッチパッド画面
3701  モード切り替えオプション
3801  ドロップダウンメニュー、ドロップダウン通知バー
3802  モード切り替えオプション
3803  スライディングトラック
3901  タッチドロップダウンメニュー
3902  機能項目ドロップダウンメニュー
4001  端末画面
4002  端末でシミュレートされたキーボードおよびマウスの図
4003  シミュレートされたキーボードおよびマウスの使用説明情報
4004  「スキップ」オプション
4005  「次へ」オプション
4006  端末画面
4007  大画面表示モード切り替えの図
4008  大画面切り替えの説明情報
4009  「使用開始」オプション
4100  端末
4101  接続モジュール
4102  表示モジュール
4103  命令モジュール
4104  受信モジュール
4200  端末
4201  接続モジュール
4202  表示モジュール
4203  第1の受信モジュール
4204  命令モジュール
4205  第2の受信モジュール
4300  端末
4301  プロセッサ
4302  メモリ
4303  表示画面
4304  通信インターフェース
4305  バス
【図１】
2020523710.tif 000003
【図２】
2020523710.tif 000004
【図３】
2020523710.tif 000005
【図４】
2020523710.tif 000006
【図５】
2020523710.tif 000007
【図６】
2020523710.tif 000008
【図７】
2020523710.tif 000009
【図８】
2020523710.tif 000010
【図９】
2020523710.tif 000011
【図１０】
2020523710.tif 000012
【図１１】
2020523710.tif 000013
【図１２】
2020523710.tif 000014
【図１３】
2020523710.tif 000015
【図１４】
2020523710.tif 000016
【図１５】
2020523710.tif 000017
【図１６】
2020523710.tif 000018
【図１７】
2020523710.tif 000019
【図１８】
2020523710.tif 000020
【図１９】
2020523710.tif 000021
【図２０】
2020523710.tif 000022
【図２１】
2020523710.tif 000023
【図２２】
2020523710.tif 000024
【図２３】
2020523710.tif 000025
【図２４】
2020523710.tif 000026
【図２５】
2020523710.tif 000027
【図２６】
2020523710.tif 000028
【図２７】
2020523710.tif 000029
【図２８】
2020523710.tif 000030
【図２９】
2020523710.tif 000031
【図３０】
2020523710.tif 000032
【図３１】
2020523710.tif 000033
【図３２】
2020523710.tif 000034
【図３３】
2020523710.tif 000035
【図３４】
2020523710.tif 000036
【図３５】
2020523710.tif 000037
【図３６】
2020523710.tif 000038
【図３７】
2020523710.tif 000039
【図３８】
2020523710.tif 000040
【図３９】
2020523710.tif 000041
【図４０】
2020523710.tif 000042
【図４１】
2020523710.tif 000043
【図４２】
2020523710.tif 000044
【図４３】
2020523710.tif 000045
【図４４】
2020523710.tif 000046
【図４５】
2020523710.tif 000047
【図４６】
2020523710.tif 000048
【図４７】
2020523710.tif 000049
【図４８】
2020523710.tif 000050
【図４９Ａ】
2020523710.tif 000051
【図４９Ｂ】
2020523710.tif 000052
【図５０Ａ】
2020523710.tif 000053
【図５０Ｂ】
2020523710.tif 000054
【図５１】
2020523710.tif 000055
【図５２】
2020523710.tif 000056
【図５３】
2020523710.tif 000057
【図５４】
2020523710.tif 000058
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
端末に適用される表示方法であって、前記端末が外部表示装置に接続され、前記方法が、
前記端末により、第1の画面を表示し、前記端末により、第1のアプリケーションを含むが第2のアプリケーションを含まない第1のデスクトップを表示するように前記外部表示装置に命令するステップであって、前記第1の画面が前記第1のデスクトップとは異なる、ステップと、
前記端末により、前記第1の画面上でのユーザの第1の入力に応じて、前記第1のアプリケーションおよび前記第2のアプリケーションを含む第2の画面を前記端末上に表示し、前記第1のアプリケーションおよび前記第2のアプリケーションを含む第2のデスクトップを表示するように前記外部表示装置に命令するステップと、
を含む、方法。
【請求項２】
前記端末が前記第1の画面上での前記第1の入力を受信した後、前記端末によって表示される前記第2の画面に含まれるアプリケーションは、前記第2のデスクトップに含まれるアプリケーションと同じまたは異なる、請求項1に記載の方法。
【請求項３】
前記端末により、第1の画面を表示する前記ステップが、
前記端末により、前記第1のアプリケーションを含むが前記第2のアプリケーションを含まない前記第1の画面を表示するステップ、または
前記端末により、選択状態にある前記第1のアプリケーションおよび非選択状態にある前記第2のアプリケーションを含む前記第1の画面を表示するステップであって、前記第2の画面上の前記第1のアプリケーションおよび前記第2のアプリケーションが前記選択状態にある、ステップ
を含む、請求項1または2に記載の方法。
【請求項４】
前記端末により、第1のアプリケーションを含むが第2のアプリケーションを含まない第1のデスクトップを表示するように前記外部表示装置に命令する前記ステップが、
前記端末により、前記第1のデスクトップを第1の表示モードで表示するように前記外部表示装置に命令するステップであって、前記第1の表示モードがプリセットデフォルト表示モードである、ステップ
を含む、請求項1から3のいずれか一項に記載の方法。
【請求項５】
前記端末により、第1のアプリケーションを含むが第2のアプリケーションを含まない第1のデスクトップを表示するように前記外部表示装置に命令する前記ステップの後に、前記方法が、
前記端末により、前記第1のデスクトップ上でのモード切り替えオプションに対する前記外部デバイスの第2の入力に応じて、前記第1のデスクトップを第2の表示モードで表示するように前記外部表示装置に命令するステップ、または
前記端末により、前記端末上での前記ユーザの第3の入力に応じて、前記第1のデスクトップを第2の表示モードで表示するように前記外部表示装置に命令するステップ
をさらに含み、
前記第1の表示モードが前記端末の表示画面に適合された表示モードであり、かつ前記第2の表示モードが前記外部表示装置に適合された表示モードである、または
前記第1の表示モードが前記外部表示装置に適合された表示モードであり、かつ前記第2の表示モードが前記端末の表示画面に適合された表示モードである、請求項4に記載の方法。
【請求項６】
前記外部デバイスが、キーボード、マウス、または手書きタブレットのうちの少なくとも1つを含む、請求項3に記載の方法。
【請求項７】
前記方法が、
前記端末により、第1のアプリケーションウィンドウおよび第2のアプリケーションウィンドウを含むマルチウィンドウ画面を表示するように前記外部表示装置に命令するステップであって、前記第1のアプリケーションウィンドウが現在フォーカスされているアプリケーションウィンドウである、ステップと、
前記端末により、前記マルチウィンドウ画面上での前記ユーザによるカーソルを第1の位置に移動する操作に応じて、前記第1の位置が含まれるアプリケーションウィンドウが前記第2のアプリケーションウィンドウであると判定するステップと、
前記端末により、前記現在フォーカスされているアプリケーションウィンドウを前記第1のアプリケーションウィンドウから前記第2のアプリケーションウィンドウに切り替えるように前記外部表示装置に命令するステップと、
をさらに含む、請求項1から6のいずれか一項に記載の方法。
【請求項８】
前記方法が、
前記端末により、前記端末の表示画面に第3のアプリケーションウィンドウを表示するステップと、
前記端末により、第1のアプリケーションウィンドウおよび第2のアプリケーションウィンドウを含むマルチウィンドウ画面を表示するように前記外部表示装置に命令するステップであって、前記第1のアプリケーションウィンドウが現在フォーカスされているアプリケーションウィンドウである、ステップと、
前記端末により、前記ユーザによるカーソルを前記第3のアプリケーションウィンドウに移動する操作に応じて、前記第1の位置が前記第3のアプリケーションウィンドウ内に含まれると判定するステップと、
前記端末により、前記現在フォーカスされているアプリケーションウィンドウを前記第1のアプリケーションウィンドウから前記第3のアプリケーションウィンドウに切り替えるステップと、
をさらに含む、請求項3から6のいずれか一項に記載の方法。
【請求項９】
前記方法が、
前記端末により、ツールバーウィンドウを表示するように前記外部表示装置に命令するステップであって、前記ツールバーウィンドウがターゲットアプリケーションのアイコンを含む、ステップと、
前記端末により、前記ターゲットアプリケーションの前記アイコン上で前記ユーザによって実行された特定の操作に応じて、前記ターゲットアプリケーションによってサポートされる少なくとも1つの表示モードを表示するように前記外部表示装置に命令するステップであって、前記少なくとも1つの表示モードが、全画面表示モード、横長表示モード、および縦長表示モードのうちの少なくとも1つを含む、ステップと、
をさらに含む、請求項1から8のいずれか一項に記載の方法。
【請求項１０】
前記端末により、前記ターゲットアプリケーションによってサポートされる少なくとも1つの表示モードを表示するように前記外部表示装置に命令する前記ステップの後に、前記方法が、
前記端末により、前記ユーザによる前記全画面表示モードをトリガする操作に応じて、前記ターゲットアプリケーションの全画面表示リソースを前記端末の表示画面にロードするように前記外部表示装置に命令するステップ、
前記端末により、前記ユーザによる前記横長表示モードをトリガする操作に応じて、前記ターゲットアプリケーションの横長表示リソースを前記端末の表示画面にロードするように前記外部表示装置に命令するステップ、または
前記端末により、前記ユーザによる前記縦長表示モードをトリガする操作に応じて、前記ターゲットアプリケーションの縦長表示リソースを前記端末の表示画面にロードするように前記外部表示装置に命令するステップ
をさらに含む、請求項9に記載の方法。
【請求項１１】
前記端末により、全画面表示リソースを前記端末の表示画面にロードするように前記外部表示装置に命令する前記ステップの後に、前記方法が、
前記端末により、少なくとも1つの実行中のアプリケーションを一時停止するように前記外部表示装置に命令するステップ
をさらに含む、請求項10に記載の方法。
【請求項１２】
前記少なくとも1つの表示モードが最小化された表示モードをさらに含み、前記方法が、
前記端末により、前記ユーザによる前記最小化された表示モードをトリガする操作に応じて、実行中の前記ターゲットアプリケーションを一時停止するように前記外部表示装置に命令するステップ
をさらに含む、請求項9に記載の方法。
【請求項１３】
端末であって、前記端末が、1つまたは複数のプロセッサ、メモリ、通信インターフェース、および前記端末の表示画面を備え、
前記メモリ、前記端末の前記表示画面、および前記通信インターフェースが前記1つまたは複数のプロセッサに接続され、前記通信インターフェースが外部表示装置に接続するように構成され、前記端末の前記表示画面がユーザのタッチ入力を受信するように構成され、
前記メモリがコンピュータプログラムコードを格納するように構成され、前記コンピュータプログラムコードがコンピュータ命令を含み、前記1つまたは複数のプロセッサが前記コンピュータ命令を実行すると、前記端末が、対応する内容を前記端末の前記表示画面に表示するように、または対応する内容を表示するように前記外部表示装置に命令するように、請求項1から12のいずれか一項に記載の方法を実行する、端末。
【請求項１４】
コンピュータ命令を含むコンピュータ記憶媒体であって、前記コンピュータ命令が端末上で実行されると、前記端末が請求項1から12のいずれか一項に記載の方法を実行する、コンピュータ記憶媒体。
【請求項１５】
コンピュータプログラムであって、前記コンピュータプログラムがコンピュータ上で実行されると、前記コンピュータが請求項1から12のいずれか一項に記載の方法を実行する、コンピュータプログラム。
【国際調査報告】
2020523710.tif 000059
2020523710.tif 000060
2020523710.tif 000061
2020523710.tif 000062